(57)【要約】記録装置（１）は、レーザ光（ＬＢ）を照射することで複数の記録層を有する記録可能な記録媒体の第１データエリア（１１２）及び第２データエリア（１２２）にコンテンツデータを記録する記録手段（２１３）と、各データエリアの記録容量を示す容量情報を読み込む第１読込手段（２１３）と、データを管理するための情報である管理情報を読み込む第２読込手段（２２１）と、容量情報及び管理情報に基づいて、データを分割する分割手段（２２１）とを備える。
2009072180.tif 000002
【特許請求の範囲】
【請求項１】
レーザ光を照射することでコンテンツデータが記録される第１データエリアを含む第１記録層と、前記第１記録層を介して前記レーザ光を照射することで前記コンテンツデータが記録される第２データエリアを含む第２記録層とを有する記録媒体に前記コンテンツデータを記録する記録装置であって、
前記レーザ光を照射することで前記第１データエリア及び前記第２データエリアに前記コンテンツデータを記録する記録手段と、
前記第１データエリア及び前記第２データエリア夫々の記録容量を示す容量情報を読み込む第１読込手段と、
前記コンテンツデータに含まれあるいは付加され、該コンテンツデータを管理するための情報である管理情報を読み込む第２読込手段と、
前記容量情報及び前記管理情報に基づいて、前記コンテンツデータを前記第１データエリアに記録される第１データ、及び前記第２データエリアに記録される第２データに分割する分割手段と、
前記第１データを前記第１データエリアに、前記第２データを前記第２データエリアに記録するよう前記記録手段を制御する制御手段と
を備えることを特徴とする記録装置。
【請求項２】
前記制御手段は、前記第２データエリアの記録容量が少なくとも所定の容量まで拡張されるように、前記第２データエリアの最大容量に相当する位置のアドレスを初期状態から更に内周側にシフトさせることを特徴とする請求の範囲第１項に記載の記録装置。
【請求項３】
前記制御手段は、遅くとも前記第２データが記録される前に、前記第１データエリアの開始位置から内周側に隣接する少なくとも所定の領域にプリデータを記録するよう前記記録手段を制御することを特徴とする請求の範囲第２項に記載の記録装置。
【請求項４】
前記制御手段は、(i)前記第２データエリアの記録容量が少なくとも所定の容量まで拡張されるように、前記第２データエリアの開始位置のアドレスを初期状態から更に外周側にシフトさせ、(ii)シフトされた前記第２データエリアの開始位置のアドレスに基づいて、前記第１データエリアの最大容量に相当する位置のアドレスを初期状態から更に外周側にシフトさせることを特徴とする請求の範囲第１項に記載の記録装置。
【請求項５】
前記分割手段は、前記管理情報に基づいて、前記コンテンツデータにおける少なくとも１つの分割点候補の位置を検出し、(i)前記コンテンツデータの開始位置から前記分割点候補までのサイズと、前記コンテンツデータの再生を制御する情報であるファイルシステムのサイズとの和が前記第１データエリアの最大容量以下であり、(ii)前記コンテンツデータの前記分割点候補から終了位置までのサイズが前記第２データエリアの最大容量以下である前記分割点候補で前記コンテンツデータを分割することを特徴とする請求の範囲第１項に記載の記録装置。
【請求項６】
前記分割手段は、前記分割点候補位置のうち、前記コンテンツデータを分割した場合の前記第１データ及び前記第２データが、前記容量情報に示される前記第１データエリア及び前記第２データエリア夫々の記録容量を超えないと判定された位置が複数検出された場合、該位置をユーザに開示し、ユーザの選択に基づく前記分割点候補位置で前記コンテンツデータを分割することを特徴とする請求の範囲第５項に記載の記録装置。
【請求項７】
前記制御手段は、前記コンテンツデータの再生を制御する情報であるファイルシステムの記録終了位置から、所定サイズのダミーデータを記録するよう前記記録手段を制御することを特徴とする請求の範囲第１項に記載の記録装置。
【請求項８】
前記制御手段は、前記第１データエリアの記録容量、前記第２データエリアの記録容量、並びに前記ファイルシステムのサイズを加えた前記第１データのサイズ、前記第２データのサイズに基づいて、前記ダミーデータのサイズを算出することを特徴とする請求の範囲第７項に記載の記録装置。
【請求項９】
前記制御手段は、前記第２データエリアの記録容量が少なくとも所定の容量まで拡張されるように、前記第２データエリアの最大容量に相当する位置のアドレスを初期状態から更に内周側にシフトさせることを特徴とする請求の範囲第７項に記載の記録装置。
【請求項１０】
前記制御手段は、遅くとも前記第２データが記録される前に、前記第１データエリアの開始位置から内周側に隣接する少なくとも所定の領域にプリデータを記録するよう前記記録手段を制御することを特徴とする請求の範囲第９項に記載の記録装置。
【請求項１１】
前記制御手段は、前記第１データエリアの記録容量、拡張された前記第２データエリアの記録容量、並びに前記ファイルシステムのサイズを加えた前記第１データのサイズ、前記第２データのサイズに基づいて、前記ダミーデータのサイズを算出することを特徴とする請求の範囲第１０項に記載の記録装置。
【請求項１２】
前記制御手段は、(i)前記第２データエリアの記録容量が少なくとも所定の容量まで拡張されるように、前記第２データエリアの開始位置のアドレスを初期状態から更に外周側にシフトさせ、(ii)前記シフトされた第２データエリアの開始位置のアドレスに基づいて、前記第１データエリアの最大容量に相当する位置のアドレスを初期状態から更に外周側にシフトさせることを特徴とする請求の範囲第７項に記載の記録装置。
【請求項１３】
前記制御手段は、拡張された前記第１データエリアの記録容量、拡張された前記第２データエリアの記録容量、並びに前記ファイルシステムのサイズを加えた前記第１データのサイズ、前記第２データのサイズに基づいて、前記ダミーデータのサイズを算出することを特徴とする請求の範囲第１２項に記載の記録装置。
【請求項１４】
前記所定の容量は、少なくとも２層型且つ再生専用型の媒体が備えるデータエリアのサイズ以上であることを特徴とする請求の範囲第２項、第４項、第９項及び第１２項のうちいずれか一項に記載の記録装置。
【請求項１５】
前記所定の領域は、少なくとも、前記第１記録層の所定の位置に規定されるべきアドレスと前記第２記録層の前記所定位置に関連するアドレスとの間における相対的な位置ズレの許容範囲を示すトレランス長と、前記レーザ光の焦点が前記第２記録層に合わせられている場合の前記第１記録層上における前記レーザ光のスポット半径の許容最大値及び前記第１記録層と前記第２記録層との夫々の相対的な偏芯ズレの許容最大値の夫々の和を示すクリアランス長との和に相当する半径方向の長さを有する領域であることを特徴とする請求の範囲第３項または第１０項に記載の記録装置。
【請求項１６】
レーザ光を照射することでコンテンツデータが記録される第１データエリアを含む第１記録層と、前記第１記録層を介して前記レーザ光を照射することで前記コンテンツデータが記録される第２データエリアを含む第２記録層とを有する記録媒体に前記コンテンツデータを記録する記録装置に備えられたコンピュータを制御するコンピュータプログラムであって、
該コンピュータを、
前記レーザ光を照射することで前記第１データエリア及び前記第２データエリアに前記コンテンツデータを記録する記録手段と、
前記第１データエリア及び前記第２データエリア夫々の記録容量を示す容量情報を読み込む第１読込手段と、
前記コンテンツデータに含まれあるいは付加され、該コンテンツデータを管理するための情報である管理情報を読み込む第２読込手段と、
前記容量情報及び前記管理情報に基づいて、前記コンテンツデータを第１データエリアに記録される第１データ、及び第２データエリアに記録される第２データに分割する分割手段と、
前記第１データを第１データエリアに、前記第２データを第２データエリアに記録するよう前記記録手段を制御する制御手段
の少なくとも一部として機能させることを特徴とするコンピュータプログラム。
【請求項１７】
レーザ光を照射することでコンテンツデータが記録される第１データエリアを含む第１記録層と、前記第１記録層を介して前記レーザ光を照射することで前記コンテンツデータが記録される第２データエリアを含む第２記録層とを有する記録媒体に前記コンテンツデータを記録する記録方法であって、
前記レーザ光を照射することで前記第１データエリア及び前記第２データエリアに前記コンテンツデータを記録する記録工程と、
前記第１データエリア及び前記第２データエリア夫々の記録容量を示す容量情報を読み込む第１読込工程と、
前記コンテンツデータに含まれあるいは付加され、該コンテンツデータを管理するための情報である管理情報を読み込む第２読込工程と、
前記容量情報及び前記管理情報に基づいて、前記コンテンツデータを第１データエリアに記録される第１データ、及び第２データエリアに記録される第２データに分割する分割工程と、
前記第１データを第１データエリアに、前記第２データを第２データエリアに記録するよう前記記録工程を制御する制御工程と
を備えることを特徴とする記録方法。
【請求項１８】
コンテンツデータが記録される第１データエリアを備える第１記録層と、
前記第１記録層を介してレーザ光を照射することで前記コンテンツデータが記録される第２データエリアを備える第２記録層と
を備える記録型の記録媒体であって、
(i)前記第２データエリアの内周側の端部が、既存の２層型且つ追記型の記録媒体が備える第２記録層のデータエリアの内周側の端部と比較して、内周側へシフトした位置に位置している、又は(ii)前記第２データエリアの外周側の端部は、既存の２層型且つ追記型の記録媒体が備える第２記録層のデータエリアの外周側の端部と比較して、外周側へシフトした位置に位置していることを特徴とする記録型の記録媒体。
【請求項１９】
前記第１データエリアの内周側の端部に隣接する領域にプリデータがプリ記録されるプリ記録エリアを更に備えることを特徴とする請求の範囲第１８項に記載の記録型の記録媒体。
【発明の詳細な説明】
【技術分野】
【０００１】
本発明は、例えば２層型のＤＶＤ、ＣＤ（Ｃｏｍｐａｃｔ  Ｄｉｓｃ）等の多層型の情報記録媒体、当該情報記録媒体に情報を記録するためのＤＶＤレコーダ等の記録装置及び方法、並びにコンピュータをこのような記録装置として機能させるコンピュータプログラムに関する。
【背景技術】
【０００２】
この種の記録装置では、該記録装置において記録された情報記録媒体の汎用化が図られる。該情報記録媒体の一例として、例えば、ＣＤ−ＲＯＭ（Ｃｏｍｐａｃｔ  Ｄｉｓｃ−Ｒｅａｄ  Ｏｎｌｙ  Ｍｅｍｏｒｙ）、ＣＤ−Ｒ（Ｃｏｍｐａｃｔ  Ｄｉｓｃ−Ｒｅｃｏｒｄａｂｌｅ）、ＤＶＤ−ＲＯＭ、ＤＶＤ−Ｒ、ＤＶＤ−ＲＷ（ＤＶＤ−Ｒｅｒｅｃｏｒｄａｂｌｅ  Ｄｉｓｃ）、及び、ＤＶＤ＋Ｒ等の情報記録媒体では、特許文献１に記載されているように、同一基板上に複数の記録層が積層、または貼り合わされてなる多層型若しくはデュアルレイヤ型の光ディスク等の情報記録媒体も開発されている。そして、このようなデュアルレイヤ型、即ち、２層型の光ディスクに記録を行う、ＤＶＤレコーダ等の記録装置では、レーザ光の照射側から見て最も手前側（即ち、光ピックアップに近い側）に位置する記録層（本願では適宜「Ｌ０層」と称する）に対して記録用のレーザ光を集光することで、Ｌ０層に対して情報を加熱などによる非可逆変化記録方式や書換え可能方式で記録し、Ｌ０層等を介して、レーザ光の照射側から見てＬ０層の奥側（即ち、光ピックアップから遠い側）に位置する記録層（本願では適宜「Ｌ１層」と称する）に対して該レーザ光を集光することで、Ｌ１層に対して情報を加熱などによる非可逆変化記録方式や書換え可能方式で記録することになる。【０００３】
例えば、特許文献１には、Ｌ１層の最内周や最外周での記録性能を確保するために、Ｌ１層に記録を行う際には、レーザ光が必ずＬ０層における記録済みの領域を透過してＬ１層に焦点を結ぶよう、ユーザデータを記録する領域の少なくとも一部をプリライトする技術が公開されている。【０００４】
【特許文献１】特開２００６−０１９０１９号公報
【発明の開示】
【発明が解決しようとする課題】
【０００５】
このような２層型の光ディスクにおいては、Ｌ１層にデータを記録する場合には、Ｌ０層を透過してレーザ光を照射する必要がある。この場合、レーザ光が透過するＬ０層にはデータが記録されている場合があれば、他方でデータが記録されていない場合もある。このようにＬ０層の記録状態が統一されていない場合、Ｌ０層が記録されているか否かでＬ０層を透過する光の透過率が異なるため、Ｌ１層に照射されるレーザ光の光量が変化してしまう。このため、先にＬ０層を記録済み状態にすることによってＬ０層の透過率を一定にし、Ｌ１層に適切にデータを記録するという記録順序、所謂レコーディングオーダが規定されている。【０００６】
ここで、Ｌ１層のデータエリアにおける内周側及び外周側の端部での記録を行う際、レンズより照射されたレーザ光は円錐形をとってＬ１層で焦点を結ぶが、Ｌ０層においてレーザ光は、Ｌ１層のデータエリアにおける端部を超えてさらに内周側、或いは外周側の領域をも透過することになる。そのような内周側あるいは外周側も含めてＬ０を透過する領域ほとんどすべてが記録済み状態でないと、Ｌ０層を透過する光量に変化が生じるため、Ｌ１層へ照射されるレーザ光の光量に影響を及ぼしてしまう。【０００７】
このため、例えば、２層型且つ追記型の記録媒体（例えば、２層型のＤＶＤ−Ｒ）などでは、Ｌ０層のデータエリアに比してＬ１層のデータエリアは、所定量だけ狭い構造になっている。該所定量は、Ｌ１層に焦点を結んでいる時の、Ｌ０層におけるレーザ光が透過する円形の領域の半径分とＬ０層とＬ１層との偏芯の許容量との和であるクリアランス長と、Ｌ０層に規定されるアドレス及びＬ１層に規定されるアドレスの夫々の所定の位置からの位置ずれの許容量であるトレランス長を加えた値として、２層型ＤＶＤ−Ｒの規格で定められている。このため、規格により、Ｌ０層のデータエリアと比較して、Ｌ１層のデータエリアは、その両端がクリアランス長とトレランス長の和だけ狭くなるように定められており、結果、Ｌ０層のデータエリアに比してＬ１層のデータエリアでは、その記録容量は相対的に少なくなるように規定されている。【０００８】
しかしながら、このようなデータエリアを有する２層型のＤＶＤ−Ｒの場合、各記録層がスタンパによってデータピット列が形成される２層型且つ再生専用型の媒体（例えば、２層型のＤＶＤ−ＲＯＭ）のデータエリアの記録容量に対し、Ｌ１層のデータエリア容量は少ない可能性がある。このため、例えば２層型ＤＶＤ−ＲＯＭ用にレイアウトされたデータを２層型ＤＶＤ−Ｒに記録する場合、データのうちＬ１層に記録されるデータ量が２層型ＤＶＤ−ＲにおけるＬ１層のデータエリア容量を超える場合には、データの全てを記録できないという問題がある。【０００９】
より具体的には、２層型ＤＶＤ−ＲＯＭにおけるＬ０層及びＬ１層の記録容量は、ともに最大で４．２７Ｇｂｙｔｅｓであり、他方で、２層型ＤＶＤ−Ｒにおける記録容量は、一般的に、Ｌ０層が４．２８６３Ｇｂｙｔｅｓ、Ｌ１層が４．２５９７Ｇｂｙｔｅｓである。よって、２層型ＤＶＤ-ＲＯＭに記録される形式であるコンテンツデータにおいて、Ｌ１層に記録されているデータサイズが４．２５９７Ｇｂｙｔｅｓを超える場合は、２層型ＤＶＤ−ＲのＬ１層には書き込み切れないため、そのままでは記録することができない。【００１０】
他方、２層型ＤＶＤ−ＲＯＭのＬ１層のデータエリアに記録されているコンテンツデータが４．２５９７ＧＢ以下であれば、当該コンテンツデータを、２層型ＤＶＤ−Ｒにそのまま記録することができるとも考えられる。しかしながら、２層型ＤＶＤ−Ｒにおいては、Ｌ１層に記録されるデータエリアのサイズが、Ｌ０層に記録されるデータエリアのサイズよりも小さく設定されているため、Ｌ０層及びＬ１層の夫々に記録されるコンテンツデータのサイズが略同一である場合は、そのまま記録することができないという問題がある。【００１１】
２層型ＤＶＤ−Ｒでは、図１０（ａ）に示すように、レコーディングオーダを遵守するため、Ｌ１層のデータエリアの最外周アドレスＸ(bar)の位置は、Ｌ０層のデータエリアの最外周アドレスＸの位置よりも内周側に向かって、典型的には、前述のクリアランス長と更にトレランス長との和に相当する長さだけシフトした位置にある。且つＬ１層のデータエリアの内周側の端部は、Ｌ０層のデータエリアの内周側の端部よりも外周側に向かって、典型的には、前述のクリアランス長と更にトレランス長との和に相当する長さだけシフトした位置にある。【００１２】
ゆえに、Ｌ０層のアドレスとＬ１層の反転アドレスの位置関係は、ディスク全面に渡ってずれたものとなるため、ディスクの最外周よりも内側でレイヤージャンプするコンテンツは、Ｌ０層に記録されるデータの最終アドレスがＹの場合、Ｌ１層に記録されるデータの開始アドレスはＹ(bar)になる。つまり、Ｌ１層の記録開始位置は常にＬ０層の記録終了位置よりも内周側であり、且つＬ１層の記録終了位置は常にＬ０層の記録開始位置よりも外周側となる。このため、仮に２層型ＤＶＤ−ＲＯＭのＬ１層のデータエリアに記録されているコンテンツデータが４．２５９７ＧＢ以下であったとしても、Ｌ０層及びＬ１層の夫々に記録されるコンテンツデータのサイズが略同一であるという特徴を有する２層型ＤＶＤ−ＲＯＭに記録されたコンテンツデータを、２層型ＤＶＤ−Ｒにそのまま記録すると、Ｌ１層のデータエリア内にデータが記録しきれないという技術的な問題点が生じかねない。具体的には、図１０（ｂ）に示すように、例えばＬ０層及びＬ１層の夫々に記録されるコンテンツデータのサイズが共に３．０ＧＢであるコンテンツデータをＤＶＤ−ＤＬにそのまま記録すると、Ｌ１層に記録されるべきコンテンツデータをＬ１層のデータエリア中に収めることができず、リードアウトエリアにはみ出してしまう。【００１３】
本発明は、例えば上述した従来の問題点に鑑みなされたものであり、例えば、２層型且つ再生専用型の媒体に記録される形式のコンテンツデータを、２層型且つ追記型の記録媒体に好適に記録することができる記録装置及び方法、コンピュータプログラム、並びに記録媒体を提供することを課題とする。
【課題を解決するための手段】
【００１４】
上記課題を解決するために、本発明の記録装置に係る実施形態は、レーザ光を照射することでコンテンツデータが記録される第１データエリアを含む第１記録層と、前記第１記録層を介して前記レーザ光を照射することで前記コンテンツデータが記録される第２データエリアを含む第２記録層とを有する記録媒体に前記コンテンツデータを記録する記録装置であって、前記レーザ光を照射することで前記第１データエリア及び前記第２データエリアに前記コンテンツデータを記録する記録手段と、前記第１データエリア及び前記第２データエリア夫々の記録容量を示す容量情報を読み込む第１読込手段と、前記コンテンツデータに含まれあるいは付加され、該コンテンツデータを管理するための情報である管理情報を読み込む第２読込手段と、前記容量情報及び前記管理情報に基づいて、前記コンテンツデータを第１データエリアに記録される第１データ、及び第２データエリアに記録される第２データに分割する分割手段と、前記第１データを第１データエリアに、前記第２データを第２データエリアに記録するよう前記記録手段を制御する制御手段とを備える。【００１５】
上記課題を解決するために、本発明のコンピュータプログラムは、レーザ光を照射することでコンテンツデータが記録される第１データエリアを含む第１記録層と、前記第１記録層を介して前記レーザ光を照射することで前記コンテンツデータが記録される第２データエリアを含む第２記録層とを有する記録媒体に前記コンテンツデータを記録する記録装置に備えられたコンピュータを制御するコンピュータプログラムであって、該コンピュータを、前記レーザ光を照射することで前記第１データエリア及び前記第２データエリアに前記コンテンツデータを記録する記録手段と、前記第１データエリア及び前記第２データエリア夫々の記録容量を示す容量情報を読み込む第１読込手段と、前記コンテンツデータに含まれあるいは付加され、該コンテンツデータを管理するための情報である管理情報を読み込む第２読込手段と、前記容量情報及び前記管理情報に基づいて、前記コンテンツデータを第１データエリアに記録される第１データ、及び第２データエリアに記録される第２データに分割する分割手段と、前記第１データを第１データエリアに、前記第２データを第２データエリアに記録するよう前記記録手段を制御する制御手段の少なくとも一部として機能させる。【００１６】
上記課題を解決するために、本発明の記録方法は、レーザ光を照射することでコンテンツデータが記録される第１データエリアを含む第１記録層と、前記第１記録層を介して前記レーザ光を照射することで前記コンテンツデータが記録される第２データエリアを含む第２記録層とを有する記録媒体に前記コンテンツデータを記録する記録方法であって、前記レーザ光を照射することで前記第１データエリア及び前記第２データエリアに前記コンテンツデータを記録する記録工程と、前記第１データエリア及び前記第２データエリア夫々の記録容量を示す容量情報を読み込む第１読込工程と、前記コンテンツデータに含まれあるいは付加され、該コンテンツデータを管理するための情報である管理情報を読み込む第２読込工程と、前記容量情報及び前記管理情報に基づいて、前記コンテンツデータを第１データエリアに記録される第１データ、及び第２データエリアに記録される第２データに分割する分割工程と、前記第１データを第１データエリアに、前記第２データを第２データエリアに記録するよう前記記録工程を制御する制御工程とを備える。【００１７】
上記課題を解決するために、本発明の記録媒体は、コンテンツデータが記録される第１データエリアを備える第１記録層と、前記第１記録層を介してレーザ光を照射することで前記コンテンツデータが記録される第２データエリアを備える第２記録層とを備える記録型の記録媒体であって、(i)前記第２データエリアの内周側の端部が、既存の２層型且つ追記型の記録媒体が備える第２記録層のデータエリアの内周側の端部と比較して、内周側へシフトした位置に位置している、又は(ii)前記第２データエリアの外周側の端部は、既存の２層型且つ追記型の記録媒体が備える第２記録層のデータエリアの外周側の端部と比較して、外周側へシフトした位置に位置している。
【図面の簡単な説明】
【００１８】
【図１】本発明に係る実施形態の記録装置における記録媒体の一例である片面２層式光ディスクの基本構造を示し、複数のエリアを有する光ディスクの概略平面図、及び各記録層の径方向におけるエリア構造の概略図である。
【図２】本発明に係る実施形態の記録装置における記録媒体の一例である片面２層式光ディスクの各記録層の径方向におけるエリア構造の概略図である。
【図３】本発明に係る実施形態の記録装置の概略的なブロック図である。
【図４】本発明の第１動作例に係る記録装置の動作の流れを示すフローチャートである。
【図５】本発明の第１動作例に係るデータの記録が行われた光ディスクの径方向におけるエリア構造のレイアウトである。
【図６】本発明の第２動作例に係る記録装置の動作の流れを示すフローチャートである。
【図７】本発明の第２動作例に係るデータの記録が行われた光ディスクの径方向におけるエリア構造のレイアウトである。
【図８】本発明の第３動作例に係る記録装置の動作の流れを示すフローチャートである。
【図９】本発明の第３動作例に係るデータの記録が行われた光ディスクの径方向におけるエリア構造のレイアウトである。
【図１０】２層型ＤＶＤ−ＲＯＭのＬ１層のデータエリアに記録されているコンテンツデータが４．２５９７ＧＢ以下である場合に、２層型ＤＶＤ−ＲＯＭに記録されたコンテンツデータをそのまま２層型ＤＶＤ−Ｒに記録した場合の問題点を示すためのデータ構造図である。
【符号の説明】
【００１９】
２１  ドライブモジュール
２２  ホストコンピュータ
１００  光ディスク
１１０  Ｌ０層
１１１  リードインエリア
１１２  第１データエリア
１１３、１２３  ミドルエリア
１１５  プリ記録エリア
１１６  ファイルシステムエリア
１１７  ダミーデータ記録エリア
１２０  Ｌ１層
１２１  リードアウトエリア
１２２  第２データエリア
２１１  スピンドルモータ
２１２  光ピックアップ
２１３  信号記録再生部
２１４、２２１  ＣＰＵ
２１５、２２２  メモリ
２１６、２２３  データ入出力部
【発明を実施するための最良の形態】
【００２０】
本発明の記録装置に係る実施形態は、レーザ光を照射することでコンテンツデータが記録される第１データエリアを含む第１記録層と、前記第１記録層を介して前記レーザ光を照射することで前記コンテンツデータが記録される第２データエリアを含む第２記録層とを有する記録媒体に前記コンテンツデータを記録する記録装置であって、前記レーザ光を照射することで前記第１データエリア及び前記第２データエリアに前記コンテンツデータを記録する記録手段と、前記第１データエリア及び前記第２データエリア夫々の記録容量を示す容量情報を読み込む第１読込手段と、前記コンテンツデータに含まれあるいは付加され、該コンテンツデータを管理するための情報である管理情報を読み込む第２読込手段と、前記容量情報及び前記管理情報に基づいて、前記コンテンツデータを前記第１データエリアに記録される第１データ、及び前記第２データエリアに記録される第２データに分割する分割手段と、前記第１データを前記第１データエリアに、前記第２データを前記第２データエリアに記録するよう前記記録手段を制御する制御手段とを備える。【００２１】
本発明の記録装置に係る実施形態によれば、コンテンツデータを第１記録層と第２記録層とを含む記録媒体に記録する際に、該コンテンツデータを第１データと第２データとに分割し、第１及び第２データが、第１データエリア及び第２データエリアに夫々記録される。このとき、第１及び第２データが第１データエリア及び第２データエリアの一部に記録される場合（つまり、第１及び第２データのデータサイズが、第１及び第２データエリアのエリアサイズよりも小さい場合）には、第１及び第２データは、第１データエリア及び第２データエリア夫々の最内周に隣接して記録される（つまり、内周側に詰めて記録される）ように記録手段が制御されて、記録媒体に書き込まれる。また、第１及び第２データの外周側にはミドルエリアデータが最外周まで記録される。【００２２】
ここに、記録媒体に記録されるコンテンツデータとは、典型的には、例えばダウンロード販売のように、インターネット等のネットワークを介して配信されるが、例えば衛星デジタル放送や地上デジタルテレビジョン放送のように、デジタル方式により放送されてもよい。また、配信、或いは放送の段階で記録媒体に記録することを想定したディスクイメージデータの形式をとっていても構わない。【００２３】
コンテンツデータが第１データと第２データとに分割されて、夫々別の記録層内のデータエリアに記録される記録媒体として、例えば２層型ＤＶＤ−ＲＯＭ（ＤＶＤ−ＲＯＭ  Ｄｕａｌ  Ｌａｙｅｒ）と、２層型ＤＶＤ−Ｒがある。ここで、両者は、夫々の記録媒体内のエリア構造において差異があることが知られている。【００２４】
２層型ＤＶＤ−ＲＯＭにおいては、第１記録層（Ｌ０層）と第２記録層（Ｌ１層）は夫々のデータエリアの容量は同一である。他方、２層型ＤＶＤ−Ｒでは、クリアランス長やトレランス長の考慮のためＬ０層のデータエリアの容量に比して、Ｌ１層のデータエリアの容量は小さく設けられている。その結果、２層型ＤＶＤ−ＲのＬ１層のデータエリアの容量は、２層方ＤＶＤ−ＲＯＭのＬ１層のデータエリアの容量よりも小さくなってしまう。【００２５】
このため、例えば２層型ＤＶＤ−ＲＯＭ用のコンテンツデータを、２層型ＤＶＤ−Ｒに記録するためには、２層型ＤＶＤ−Ｒのエリア構造の変更を行うか、あるいは記録する際にコンテンツをＬ０層とＬ１層に適切に分割することが必要である。【００２６】
しかるに、本実施形態においては、まず、第１読込手段により、第１及び第２データエリアの記録容量を示す容量情報が読み込まれると共に、第２読込手段により、コンテンツデータを管理するための管理情報が読み込まれる。ここで、管理情報は、例えば、後述する、コンテンツに付加された分割点候補位置を示す情報であってもよいし、或いは分割点候補位置を記録装置自身で検出するために必要な情報であってもよい。要は、２層型ＤＶＤ−ＲＯＭ用のコンテンツデータを、エリア構造の異なる２層型ＤＶＤ−Ｒに記録するために、当該コンテンツデータを第１及び第２データに適切に分割させるための情報であれば、本実施形態における「管理情報」の範囲に含まれる。また、分割点候補位置を記録装置自身で検出するために必要な情報として、例えば、ＶＭＧＩ（Ｖｉｄｅｏ  Ｍａｎａｇｅｒ  Ｉｎｆｏｒｍａｔｉｏｎ）やＶＴＳＩ（Ｖｉｄｅｏ  Ｔｉｔｌｅ  Ｓｅｔ  Ｉｎｆｏｒｍａｔｉｏｎ）等のＩＦＯファイル（Ｉｎｆｏｒｍａｔｉｏｎ  Ｆｉｌｅ）が一例としてあげられる。より具体的には、例えば、ＩＦＯファイルにおいて、コンテンツデータの再生単位であるＣｅｌｌの境界であるとともに、データ記録単位であるＥＣＣブロック（Ｅｒｒｏｒ  Ｃｏｒｒｅｃｔｉｏｎ  Ｃｏｄｅ）の境界（ＥＣＣ境界）でもあり、且つ、連続的な再生が保証されているか否かを示すＳｅａｍｌｅｓｓ  Ｐｌａｙｂａｃｋ  Ｆｌａｇがその保障をしていない位置が、分割点候補位置として検出される。係る分割点候補位置の検出は、分割手段の動作により行われる。このとき、後述する処理を行うことにより、ＥＣＣ境界でなくても、分割点候補位置に加えることもできる。【００２７】
次に、分割手段は、前述した分割候補点でコンテンツデータを分割した場合、生成された第１及び第２データが、夫々第１及び第２データエリアに記録可能か否かを、容量情報に基づいて判定を行う。ここで、分割点がＥＣＣ境界でない場合は、後に詳述するように、セクター単位のダミーデータをファイルシステムの直後に記録して、Ｌ０層のデータの終わりがＥＣＣ境界になるようにする。次いで、記録可能と判断された分割候補点を分割点としてコンテンツデータの分割を実際に行うと共に、分割されたコンテンツデータ（つまり、第１及び第２データ）が第１及び第２データエリアに記録される。【００２８】
これによって、例えばビデオデータであるコンテンツデータに対して、分割点の位置を検出することが出来る。また、検出された分割点で分割した場合に、記録媒体の各データエリアに記録可能なサイズであるか否かの判定を行うことで、適切なコンテンツデータの分割が行える。結果、２層型ＤＶＤ−ＲＯＭ用のコンテンツデータを、２層型ＤＶＤ−Ｒのエリア構造を変更することなく好適に記録することができる。つまり、様々なコンテンツデータに対応して、該記録媒体のエリア構造を変更することなく、効率的なコンテンツデータの記録が出来る。【００２９】
本発明の記録装置に係る実施形態の一の態様では、前記制御手段は、前記第２データエリアの記録容量が少なくとも所定の容量まで拡張されるように、前記第２データエリアの最大容量に相当する位置のアドレスを初期状態から更に内周側にシフトさせる。【００３０】
この態様によれば、クリアランス長やトレランス長の考慮のため、第１データエリア（つまりＬ０層のデータエリア）に比して狭い領域に設定されている第２データエリア（つまりＬ１層のデータエリア）を、該第２データエリアの最内周よりも内部に位置するリードアウトエリア内に拡張させ、それに伴って第２データエリアの記録容量を所定のサイズだけ増加する。ここでは、例えば、第２データエリアの容量が、２層型且つ再生専用型の媒体（例えば、２層型ＤＶＤ−ＲＯＭ）のＬ１層のデータエリアの記録容量と略同一となるように、第２データエリアを伸張させてもよい。また、「初期状態」とは、予め定められた「第２データエリア」のエリア構造の状態を示す趣旨であり、典型的には、２層型且つ追記型の記録媒体（例えば、２層型ＤＶＤ−Ｒ）のエリア構造の状態を示す。【００３１】
これによって、本実施形態における記録媒体の第２データエリア容量が、２層型ＤＶＤ−ＲＯＭにおける第２記録層の容量と同一になる。結果、２層型ＤＶＤ−ＲＯＭ用のデータを、２層型ＤＶＤ−Ｒディスクに記録することが出来る。【００３２】
更に、この態様では、前記制御手段は、遅くとも前記第２データが記録される前に、前記第１データエリアの開始位置から内周側に隣接する少なくとも所定の領域にプリデータを記録するよう前記記録手段を制御してもよい。【００３３】
このように構成すれば、「所定の領域」の一具体例である第１記録層のリードインエリア中における、前述したクリアランス長とトレランス長との和に相当する一部のエリア部分にプリデータを予め記録しておくことにより、レコーディングオーダを順守しつつ、第２データエリアへの適切な記録を行うことが出来る。【００３４】
また、該プリデータは、遅くとも第２記録層（つまりＬ１層）の第２データエリアにコンテンツデータが書き込まれる前に書き込まれていれば良く、典型的には、第１記録層へのコンテンツデータと相前後して書き込まれるよう構成されているか、或いは、記録処理を開始する前に、記録媒体が記録装置にローディングされた時点で書き込まれるよう構成されていても構わない。このように構成すれば、データの記録処理に際して、イメージデータの記録に割り込む形でプリデータを記録する工程を低減することが出来、例えば、記録装置のバッファメモリにかかる負担を低減出来る。結果、信頼性の高い記録装置を提供するとともに、データの記録再生が安定し、信頼性の高い記録媒体を得ることができる。【００３５】
本発明の記録装置に係る実施形態の他の態様では、前記制御手段は、(i)前記第２データエリアの記録容量が少なくとも所定の容量まで拡張されるように、前記第２データエリアの開始位置のアドレスを初期状態から更に外周側にシフトさせ、(ii)シフトされた前記第２データエリアの開始位置のアドレスに基づいて、前記第１データエリアの最大容量に相当する位置のアドレスを初期状態から更に外周側にシフトさせる。【００３６】
この態様によれば、クリアランス長やトレランス長の考慮のため、第１データエリアに比して狭い領域に設定されている第２データエリアを、該第２データエリアの最外周よりも外部に位置するミドルエリア内に拡張させ、それに伴って第２データエリアの容量が所定のサイズだけ増加する。同様に、第１データエリアを、該第１データエリアの最外周よりも外部に位置するミドルエリア内に拡張させ、それに伴って第１データエリアの容量が所定のサイズだけ増加する。ここでは、例えば、第２データエリアの容量が、２層型且つ再生専用型の媒体（例えば、２層型ＤＶＤ−ＲＯＭ）のＬ１層のデータエリアの記録容量と略同一となるように、第２データエリアを伸張させてもよい。【００３７】
これによって、本実施形態における記録媒体の第２データエリアの記録容量が、２層型ＤＶＤ−ＲＯＭにおける第２記録層のデータエリアの記録容量と同一になる。結果、２層型ＤＶＤ−ＲＯＭ用のデータを、２層型ＤＶＤ−Ｒに記録することが出来る。【００３８】
また、本実施形態においては、第２データエリアを拡張させると同時に、該拡張と同じだけ第１データエリアを拡張させる。これによって、クリアランス長とトレランス長とに起因する第２データエリアと第１データエリアのサイズの差は変化することなく、レコーディングオーダは守られており、適切な第２データエリアへの記録を行うことが出来る。【００３９】
本発明の記録装置に係る実施形態の他の態様では、前記分割手段は、前記管理情報に基づいて、前記コンテンツデータにおける少なくとも１つの分割点候補の位置を検出し、(i)前記コンテンツデータの開始位置から前記分割点候補までのサイズと、前記コンテンツデータの再生を制御する情報であるファイルシステムのサイズとの和が前記第１データエリアの最大容量以下であり、(ii)前記コンテンツデータの前記分割点候補から終了位置までのサイズが前記第２データエリアの最大容量以下である前記分割点候補で前記コンテンツデータを分割する。【００４０】
この態様によれば、ファイルシステムのサイズを考慮して前記コンテンツデータを分割し、Ｌ０層の第１データエリアとＬ１層の第２データエリアに記録可能か否かの判定を行うため、コンテンツデータを分割する位置を好適に決定することが出来る。【００４１】
更に、この態様では、前記分割手段は、前記分割点候補位置のうち、前記コンテンツデータを分割した場合の前記第１データ及び前記第２データが、前記容量情報に示される前記第１データエリア及び前記第２データエリア夫々の記録容量を超えないと判定された位置が複数検出された場合、該位置をユーザに開示し、ユーザの選択に基づく前記分割点候補位置で前記コンテンツデータを分割しても良い。【００４２】
このように構成すれば、ユーザの意向に沿ったデータの分割点の決定が行える。これによって、例えば、２層型ＤＶＤ−Ｒ全体の記録容量に対してサイズの小さいデータを記録する場合、ディスクの外周側への記録を回避するなど、ユーザの要望に沿った分割点を決定することが出来る。【００４３】
本発明の記録装置に係る実施形態の他の態様では、前記制御手段は、前記コンテンツデータの再生を制御する情報であるファイルシステムの記録終了位置から、所定サイズのダミーデータを記録するよう前記記録手段を制御する。【００４４】
この態様によれば、Ｌ０層に記録される第１データのサイズがＬ１層に記録される第２データのサイズに比して小さい、或いは同じであっても、Ｌ１層に第２データを記録するために必要なＬ０層の領域にダミーデータを記録することで、適切な第２データエリアへの記録を行うことが出来る。つまり、Ｌ０層の領域に必要なサイズのダミーデータを記録することによりレイヤージャンプの位置が外周側にシフトされるため、第２データエリアの記録開始位置も外周側にシフトされる。その結果、第２データエリアの記録できる領域が増加するため、第２データのすべてが第２データエリアに記録できるようになる。言い換えれば、そのような条件を満たすようにダミーデータのサイズが算出される。【００４５】
また、前述したように、第１データと第２データとの分割点がＥＣＣ境界でない場合は、Ｌ０層に記録されるデータの最終部分がＥＣＣ境界になるように、セクター単位のダミーデータを記録することで調整するよう構成しても良い。
（８）
更に、この態様では、前記制御手段は、前記第１データエリアの記録容量、前記第２データエリアの記録容量、並びに前記ファイルシステムのサイズを加えた前記第１データのサイズ、前記第２データのサイズに基づいて、前記ダミーデータのサイズを算出しても良い。【００４６】
このように構成すれば、前述したダミーデータのサイズを適切に決定することが出来、Ｌ０層に記録される第１データのサイズがＬ１層に記録される第２データのサイズに比して小さい、或いは同じであっても、Ｌ１層に第２データを記録するために必要なＬ０層の領域にダミーデータを記録することで、適切な第２データエリアへの記録を行うことが出来る。【００４７】
ここで、ダミーデータのサイズは、第１データのサイズと、ファイルシステムのサイズと、該ダミーデータのサイズとの和が、第１データエリアの記録容量以下であり、且つ第２データすべてが第２データエリアに記録できるようにするサイズ以上であるという条件を満たす必要がある。【００４８】
典型的には、第１データエリアの記録容量と第２データエリアの記録容量の差から、第１データのサイズとファイルシステムのサイズとの和と第２データのサイズの差を引いた値が、少なくとも記録されるべきダミーデータのサイズである。【００４９】
このようにダミーデータのサイズを算出することで、第２データの適切な記録を行うことが出来る。また、第１データ及び第２データ夫々のサイズが、第１データエリア及び第２データエリア夫々の記録容量に比して下回る場合においても、ダミーデータの必要最低限のサイズを算出することで、不要なデータの記録を抑えることが出来る。【００５０】
或いは、この態様では、前記制御手段は、前記第２データエリアの記録容量が少なくとも所定の容量まで拡張されるように、前記第２データエリアの最大容量に相当する位置のアドレスを初期状態から更に内周側にシフトさせても良い。【００５１】
このように構成すれば、クリアランス長やトレランス長の考慮のため、第１データエリア（つまりＬ０層のデータエリア）に比して狭い領域に設定されている第２データエリア（つまりＬ１層のデータエリア）を、該第２データエリアの最内周よりも内部に位置するリードアウトエリア内に拡張させ、それに伴って第２データエリアの記録容量を所定のサイズだけ増加する。ここでは、例えば、第２データエリアの容量が、２層型且つ再生専用型の媒体（例えば、２層型ＤＶＤ−ＲＯＭ）のＬ１層のデータエリアの記録容量と略同一となるように、第２データエリアを伸張させてもよい。また、「初期状態」とは、予め定められた「第２データエリア」のエリア構造の状態を示す趣旨であり、典型的には、２層型且つ追記型の記録媒体（例えば、２層型ＤＶＤ−Ｒ）のエリア構造の状態を示す。【００５２】
これによって、本実施形態における記録媒体の第２データエリア容量が、２層型ＤＶＤ−ＲＯＭにおける第２記録層の容量と同一になる。結果、２層型ＤＶＤ−ＲＯＭ用のデータを、２層型ＤＶＤ−Ｒディスクに記録することが出来る。【００５３】
更に、この態様では、前記制御手段は、少なくとも前記第２データが記録される前に、前記第１データエリアの開始位置から内周側に隣接する少なくとも所定の領域にプリデータを記録するよう前記記録手段を制御しても良い。【００５４】
このように構成すれば、「所定の領域」の一具体例である第１記録層のリードインエリア中における、前述したクリアランス長とトレランス長との和に相当する一部のエリア部分にプリデータを予め記録しておくことにより、レコーディングオーダを順守しつつ、第２データエリアへの適切な記録を行うことが出来る。【００５５】
また、該プリデータは、遅くとも第２記録層（つまりＬ１層）の第２データエリアにコンテンツデータが書き込まれる前に書き込まれていれば良く、典型的には、第１記録層へのコンテンツデータと相前後して書き込まれるよう構成されているか、或いは、記録処理を開始する前に、記録媒体が記録装置にローディングされた時点で書き込まれるよう構成されていても構わない。このように構成すれば、データの記録処理に際して、イメージデータの記録に割り込む形でプリデータを記録する工程を低減することが出来、例えば、記録装置のバッファメモリにかかる負担を低減出来る。結果、信頼性の高い記録装置を提供するとともに、データの記録再生が安定し、信頼性の高い記録媒体を得ることができる。【００５６】
更に、この態様では、前記制御手段は、前記第１データエリアの記録容量、拡張された前記第２データエリアの記録容量、並びに前記ファイルシステムのサイズを加えた前記第１データのサイズ、前記第２データのサイズに基づいて、前記ダミーデータのサイズを算出しても良い。【００５７】
このように構成すれば、前述したダミーデータのサイズを適切に決定することが出来、Ｌ０層に記録される第１データのサイズがＬ１層に記録される第２データのサイズに比して小さい、或いは同じである場合でも、Ｌ１層に第２データを記録するためにデータが記録済みである必要があるＬ０層の領域にダミーデータを記録することで、適切な第２データエリアへの記録を行うことが出来る。【００５８】
典型的には、第１データエリアの記録容量と前述の拡張された第２データエリアの記録容量の差から、第１データのサイズとファイルシステムのサイズとの和と第２データのサイズの差を引いた値が、少なくとも記録されるべきダミーデータのサイズである。【００５９】
このようにダミーデータのサイズを算出することで、第２データの適切な記録を行うことが出来る。また、第１データ及び第２データ夫々のサイズが、第１データエリア及び第２データエリア夫々の記録容量に比して下回る場合においても、ダミーデータの必要最低限のサイズを算出することで、不要なデータの記録を抑えることが出来る。【００６０】
或いは、この態様では、前記制御手段は、(i)前記第２データエリアの記録容量が少なくとも所定の容量まで拡張されるように、前記第２データエリアの開始位置のアドレスを初期状態から更に外周側にシフトさせ、(ii)前記シフトされた第２データエリアの開始位置のアドレスに基づいて、前記第１データエリアの最大容量に相当する位置のアドレスを初期状態から更に外周側にシフトさせても良い。【００６１】
このように構成すれば、クリアランス長やトレランス長の考慮のため、第１データエリアに比して狭い領域に設定されている第２データエリアを、該第２データエリアの最外周よりも外部に位置するミドルエリア内に拡張させ、それに伴って第２データエリアの容量が所定のサイズだけ増加する。同様に、第１データエリアを、該第１データエリアの最外周よりも外部に位置するミドルエリア内に拡張させ、それに伴って第１データエリアの容量が所定のサイズだけ増加する。ここでは、例えば、第２データエリアの容量が、２層型且つ再生専用型の媒体（例えば、２層型ＤＶＤ−ＲＯＭ）のＬ１層のデータエリアの記録容量と略同一となるように、第２データエリアを伸張させてもよい。【００６２】
これによって、本実施形態における記録媒体の第２データエリアの記録容量が、２層型ＤＶＤ−ＲＯＭにおける第２記録層のデータエリアの記録容量と同一になる。結果、２層型ＤＶＤ−ＲＯＭ用のデータを、２層型ＤＶＤ−Ｒに記録することが出来る。【００６３】
また、本実施形態においては、第２データエリアを拡張させると同時に、該拡張と同じだけ第１データエリアを拡張させる。これによって、クリアランス長とトレランス長とに起因する第２データエリアと第１データエリアのサイズの差は変化することなく、レコーディングオーダは守られており、適切な第２データエリアへの記録を行うことが出来る。【００６４】
更に、この態様では、前記制御手段は、拡張された前記第１データエリアの記録容量、拡張された前記第２データエリアの記録容量、並びに前記ファイルシステムのサイズを加えた前記第１データのサイズ、及び前記第２データのサイズに基づいて、前記ダミーデータのサイズを算出する。【００６５】
このように構成すれば、前述したダミーデータのサイズを適切に決定することが出来、Ｌ０層に記録される第１データのサイズがＬ１層に記録される第２データのサイズに比して小さい、或いは同じである場合でも、Ｌ１層に第２データを記録するためにデータが記録済みである必要があるＬ０層の領域にダミーデータを記録することで、適切な第２データエリアへの記録を行うことが出来る。【００６６】
典型的には、前述の拡張された第１データエリアの記録容量と同じく拡張された第２データエリアの記録容量の差から、第１データのサイズとファイルシステムのサイズとの和と第２データの差を引いた値が、少なくとも記録されるべきダミーデータのサイズである。【００６７】
このようにダミーデータのサイズを算出することで、第２データの適切な記録を行うことが出来る。また、第１データ及び第２データ夫々のサイズが、第１データエリア及び第２データエリア夫々の記録容量に比して下回る場合においても、ダミーデータの必要最低限のサイズを算出することで、不要なデータの記録を抑えることが出来る。【００６８】
本発明の記録装置に係る実施形態の他の態様では、前記所定の容量は、少なくとも２層型且つ再生専用型の媒体が備えるデータエリアのサイズ以上である。【００６９】
この態様によれば、本実施形態における２層型且つ追記型の記録媒体のデータ構造を、２層型且つ再生専用型の媒体のデータ構造と概ね同一にすることができる。従って、前述したように、２層型且つ再生専用型の媒体に記録されている状態と概ね同一の状態にあるコンテンツデータを、本実施形態に係る記録型の記録媒体にそのまま記録することができる。【００７０】
本発明の記録装置に係る実施形態の他の態様では、前記所定の領域は、少なくとも、前記第１記録層の所定の位置に規定されるべきアドレスと前記第２記録層の前記所定位置に関連するアドレスとの間における相対的な位置ズレの許容範囲を示すトレランス長と、前記レーザ光の焦点が前記第２記録層に合わせられている場合の前記第１記録層上における前記レーザ光のスポット半径の許容最大値及び前記第１記録層と前記第２記録層との夫々の相対的な偏芯ズレの許容最大値の夫々の和を示すクリアランス長との和に相当する半径方向の長さを有する領域である。【００７１】
この態様によれば、第２データエリアのトレランス長とクリアランス長との和に相当する半径方向の長さを有する第１記録層の所定の領域（典型的には、リードインエリア中の一部のエリア部分）に、プリデータを予め記録しておくことにより、レコーディングオーダが守られ、好適な第２データエリアの最内周近辺への記録を行うことが出来る。【００７２】
尚、「トレランス長」とは、第１記録層における設計上所定位置（例えば、所定半径位置）に規定されるべきアドレスと第２記録層における該所定位置に関連するアドレスとの相対的な位置ズレの許容範囲（或いは、位置ズレそのもの）を示す。言い換えれば、「トレランス長」は、第１記録層における設計上所定位置に規定されるアドレスと、第２記録層における設計上所定位置に規定されるアドレスとの相対的な位置ズレの許容範囲となる。更に言い換えれば、「トレランス長」は、第１記録層における、所定のアドレスが設計上規定される位置と、実際に製造された記録媒体における所定のアドレスの位置との位置ズレの許容範囲と、第２記録層における、所定のアドレスが設計上規定される位置と、実際に製造された記録媒体における所定のアドレスの位置との位置ズレの許容範囲との和となる。【００７３】
本発明のコンピュータプログラムに係る実施形態は、レーザ光を照射することでコンテンツデータが記録される第１データエリアを含む第１記録層と、前記第１記録層を介して前記レーザ光を照射することで前記コンテンツデータが記録される第２データエリアを含む第２記録層とを有する記録媒体に前記コンテンツデータを記録する記録装置に備えられたコンピュータを制御するコンピュータプログラムであって、該コンピュータを、前記レーザ光を照射することで前記第１データエリア及び前記第２データエリアに前記コンテンツデータを記録する記録手段と、前記第１データエリア及び前記第２データエリア夫々の記録容量を示す容量情報を読み込む第１読込手段と、前記コンテンツデータに含まれあるいは付加され、該コンテンツデータを管理するための情報である管理情報を読み込む第２読込手段と、前記容量情報及び前記管理情報に基づいて、前記コンテンツデータを第１データエリアに記録される第１データ、及び第２データエリアに記録される第２データに分割する分割手段と、前記第１データを第１データエリアに、前記第２データを第２データエリアに記録するよう前記記録手段を制御する制御手段の少なくとも一部として機能させる。【００７４】
本発明のコンピュータプログラムに係る実施形態によれば、当該コンピュータプログラムを格納するＲＯＭ、ＣＤ−ＲＯＭ、ＤＶＤ−ＲＯＭ、ハードディスク等の記録媒体から、当該コンピュータプログラムをコンピュータに読み込んで実行させれば、或いは、当該コンピュータプログラムを、通信手段を介してコンピュータにダウンロードさせた後に実行させれば、前述した本発明の記録装置に係る各実施形態を比較的簡単に実現できる。【００７５】
尚、前述した本発明の記録装置に係る各実施形態における各種態様に対応して、本発明のコンピュータプログラムに係る実施形態も各種態様を採ることが可能である。【００７６】
本発明のコンピュータプログラム製品の実施形態は、レーザ光を照射することでコンテンツデータが記録される第１データエリアを含む第１記録層と、前記第１記録層を介して前記レーザ光を照射することで前記コンテンツデータが記録される第２データエリアを含む第２記録層とを有する記録媒体に前記コンテンツデータを記録する記録装置に備えられたコンピュータにより実行可能なプログラム命令を明白に具現化するコンピュータプログラム製品であって、該コンピュータを、前記レーザ光を照射することで前記第１データエリア及び前記第２データエリアに前記コンテンツデータを記録する記録手段と、前記第１データエリア及び前記第２データエリア夫々の記録容量を示す容量情報を読み込む第１読込手段と、前記コンテンツデータに含まれあるいは付加され、該コンテンツデータを管理するための情報である管理情報を読み込む第２読込手段と、前記容量情報及び前記管理情報に基づいて、前記コンテンツデータを第１データエリアに記録される第１データ、及び第２データエリアに記録される第２データに分割する分割手段と、前記第１データを第１データエリアに、前記第２データを第２データエリアに記録するよう前記記録手段を制御する制御手段の少なくとも一部として機能させる。【００７７】
本発明のコンピュータプログラム製品に係る実施形態によれば、当該コンピュータプログラム製品を格納するＲＯＭ、ＣＤ−ＲＯＭ、ＤＶＤ−ＲＯＭ、ハードディスク等の記録媒体から、当該コンピュータプログラム製品をコンピュータに読み込めば、或いは、例えば伝送波である当該コンピュータプログラム製品を、通信手段を介してコンピュータにダウンロードすれば、前述した本発明の記録装置に係る各実施形態を比較的容易に実施可能となる。更に具体的には、当該コンピュータプログラム製品は、前述した本発明の情報記録装置に係る各実施形態として機能させるコンピュータ読取可能なコード（或いはコンピュータ読取可能な命令）から構成されてよい。【００７８】
尚、前述した本発明の記録装置に係る実施形態における各種態様に対応して、本発明のコンピュータプログラム製品に係る実施形態も各種態様を採ることが可能である。【００７９】
本発明の記録方法に係る実施形態は、レーザ光を照射することでコンテンツデータが記録される第１データエリアを含む第１記録層と、前記第１記録層を介して前記レーザ光を照射することで前記コンテンツデータが記録される第２データエリアを含む第２記録層とを有する記録媒体に前記コンテンツデータを記録する記録方法であって、前記レーザ光を照射することで前記第１データエリア及び前記第２データエリアに前記コンテンツデータを記録する記録工程と、前記第１データエリア及び前記第２データエリア夫々の記録容量を示す容量情報を読み込む第１読込工程と、前記コンテンツデータに含まれあるいは付加され、該コンテンツデータを管理するための情報である管理情報を読み込む第２読込工程と、前記容量情報及び前記管理情報に基づいて、前記コンテンツデータを第１データエリアに記録される第１データ、及び第２データエリアに記録される第２データに分割する分割工程と、前記第１データを第１データエリアに、前記第２データを第２データエリアに記録するよう前記記録工程を制御する制御工程とを備える。【００８０】
本発明の記録方法によれば、前述した本発明の記録装置と同様の効果を享受することができる。【００８１】
尚、本発明の記録方法においても、前述した本発明の記録装置における各種態様と同様の各種態様を採ることが可能である。【００８２】
本発明の記録媒体に係る実施形態は、コンテンツデータが記録される第１データエリアを備える第１記録層と、前記第１記録層を介してレーザ光を照射することで前記コンテンツデータが記録される第２データエリアを備える第２記録層とを備える記録型の記録媒体であって、(i)前記第２データエリアの内周側の端部が、既存の２層型且つ追記型の記録媒体が備える第２記録層のデータエリアの内周側の端部と比較して、内周側へシフトした位置に位置している、又は(ii)前記第２データエリアの外周側の端部は、既存の２層型且つ追記型の記録媒体が備える第２記録層のデータエリアの外周側の端部と比較して、外周側へシフトした位置に位置している。【００８３】
本発明の記録媒体に係る実施形態によれば、前述した本発明の記録装置に係る実施形態が享受することができる各種効果と同様の効果を享受することができる。つまり、第２データエリアの内周側の端部又は外周側の端部をシフトさせることで、第２データエリアのサイズを２層型且つ再生専用型の媒体が備えるデータエリアのサイズ以上にすることができ、その結果、２層型且つ再生専用型の媒体に記録されている状態と概ね同一の状態にあるコンテンツデータを、本実施形態に係る記録型の記録媒体にそのまま記録することができる。【００８４】
本発明の記録媒体に係る実施形態によれば、第２データエリアの内周側の端部又は外周側の端部が、予めシフトされている記録媒体でも良いし、記録装置によってシフトされることが可能である記録媒体でも良い。【００８５】
尚、前述した本発明の記録装置に係る実施形態における各種態様に対応して、本発明の記録媒体に係る実施形態も各種態様を採ることが可能である。【００８６】
本発明の記録媒体に係る実施形態の一の態様では、前記第１データエリアの内周側の端部に隣接する領域にプリデータがプリ記録されるプリ記録エリアを更に備える。【００８７】
この態様によれば、プリ記録エリアにプリデータがプリ記録されることにより、前述したようにレコーディングオーダを好適に遵守することができる。【００８８】
以上説明したように、本発明の記録装置に係る実施形態によれば、第１読込手段、第２読込手段、記録手段、分割手段、及び制御手段を備える。本発明のコンピュータプログラムに係る実施形態によれば、コンピュータを本発明の記録装置に係る実施形態として機能させる。本発明の記録方法に係る実施形態によれば、第１読込工程、第２読込工程、記録工程、分割工程、及び制御工程を備える。本発明の記録媒体に係る実施形態によれば、第２データエリアの内周側の端部又は外周側の端部を、既存の２層型且つ追記型の記録媒体における第２記録層のデータエリアの内周側の端部又は外周側の端部と比較してシフトさせることで、第１データエリア及び第２データエリアの夫々のサイズが、２層型且つ再生専用型の媒体が備えるデータエリアのサイズ以上となっている。従って、２層型且つ再生専用型の媒体に記録される形式のコンテンツデータを、２層型且つ追記型の記録媒体に好適に記録することができる。【００８９】
本実施形態のこのような作用及び他の利得は次に説明する実施例から更に明らかにされよう。
【実施例】
【００９０】
以下、本発明の記録装置に係る実施例を、図面を参照して説明する。【００９１】
（光ディスクの構成例）
先ず、図１及び図２を参照して、各実施形態に係る記録装置によって、本発明に係る、データなどが記録される「記録媒体」の一例としての片面２層式光ディスクについて説明する。図１は、本構成例に係る光ディスクの基本構造を示し、上側部分は複数エリアを有する光ディスクの概略平面図であり、下側部分はその径方向におけるエリア構造の図式的概念図である。【００９２】
図１に示すように、例えば２層型ＤＶＤ−Ｒである光ディスク１００は、該光ディスク１００本体上の記録面に、センターホール１４を中心として内周から外周に向けて、リードインエリア１１１／リードアウトエリア１２１、第１データエリア１１２／第２データエリア１２２及びミドルエリア１１３／１２３が設けられている。【００９３】
光ディスク１００は片面に２層の記録層を備えていて、夫々に設けられているエリア構造は別物である。すなわち、光ピックアップ２１２により近い側に位置するＬ０層１１０には、内周から外周にかけて、リードインエリア１１１、及び第１データエリア１１２、並びにミドルエリア１１３が設けられている。【００９４】
他方、光ピックアップ２１２とはＬ０層１１０を隔てて位置するＬ１層１２０には、外周から内周にかけて、ミドルエリア１２３、及び第２データエリア１２２、並びにリードアウトエリア１２１が設けられている。【００９５】
図２は、前述した片面２層式光ディスクの径方向におけるエリア構造の概略断面図である。Ｌ０層１１０とＬ１層１２０との間は透明樹脂材料の中間層１３０により、一定の間隔が保持されている。【００９６】
また、レコーディングオーダの問題により、Ｌ１層１２０におけるデータ記録可能なエリアである第２データエリア１２２は、Ｌ０層１１０におけるデータ記録可能なエリアである第１データエリア１１２よりも内周側、及び外周側の端部が狭めて設定されている。この狭まりの値がクリアランス長とトレランス長との和である。【００９７】
また、後に詳述するように、光ディスク１００は、Ｌ０層１１０におけるリードインエリア１１１内の所定の領域に、プリデータが記録されるプリ記録エリア１１５を備えて構成されていても良い。該プリ記録エリア１１５は、第２データエリア１２２の最終アドレスから、前述のクリアランス長とトレランス長との和に相当する半径方向の長さを有するＬ０層１１０上の領域のうち、典型的にはリードインエリア１１１上に形成される領域である。【００９８】
また、後に詳述するように、光ディスク１００は、第２データエリア１２２の記録容量が所定の容量となるように、第２データエリアの終了アドレスが、既存の２層型且つ追記型の記録媒体におけるＬ１層のデータ記録エリア（つまり、第２データエリア）の終了アドレスより内周側へシフトされて構成されていても構わない。ここに、所定の容量とは、既存の２層型且つ再生専用型の媒体が備えるＬ１層のデータ記録エリア（つまり、第２データエリア）の記録容量であり、典型的には、４．２７Ｇｂｙｔｅｓである。【００９９】
また、後に詳述するように、光ディスク１００は、第２データエリア１２２の記録容量が所定の容量となるように、第２データエリアの開始アドレスが、既存の２層型且つ追記型の記録媒体におけるＬ１層のデータ記録エリア（つまり、第２データエリア）の開始アドレスより外周側へシフトされるとともに、第１データエリア１１２の終了アドレスが、前述の第２データエリア１２２の開始アドレスのシフト量と同じだけ、既存の２層型且つ追記型の記録媒体におけるＬ０層のデータ記録エリア（つまり、第１データエリア）の終了アドレスより外周側へシフトされて構成されていても構わない。ここに、所定の容量とは、既存の２層型且つ再生専用型の媒体が備えるＬ１層のデータ記録エリア（つまり、第２データエリア）の記録容量であり、典型的には、４．２７Ｇｂｙｔｅｓである。【０１００】
（記録装置の構成例）
次に、図３を参照して、各実施形態に係る記録装置の構成について説明する。図３は、本構成例に係る記録装置の構成を示すブロック図である。【０１０１】
図３に示される、例えばＤＶＤドライブを有するパーソナルコンピュータ、或いはデータをＤＶＤ−Ｒに記録して販売するキオスク端末である記録装置は、ドライブモジュール２１及びホストコンピュータ２２を備えて構成されている。【０１０２】
ドライブモジュール２１は、スピンドルモータ２１１、光ピックアップ２１２、信号記録再生部２１３、ＣＰＵ（Ｃｅｎｔｒａｌ  Ｐｒｏｃｅｓｓｉｎｇ  Ｕｎｉｔ）２１４、メモリ２１５、データ入出力部２１６、及びバス２１７を備えて構成されている。【０１０３】
スピンドルモータ２１１は光ディスク１００を回転及び停止させるもので、光ディスク１００へのアクセス時に動作する。より詳細には、スピンドルモータ２１１は、図示しないサーボユニット等によりスピンドルサーボを受けつつ所定速度で光ディスク１００を回転及び停止させるように構成されている。【０１０４】
光ピックアップ２１２は、光ディスク１００への記録再生を行うもので、レーザ装置とレンズ等から構成される。より詳細には、光ピックアップ２１２は、光ディスク１００に対してレーザ光ＬＢ等の光ビームを、再生時には読み取り光として第１のパワーで照射し、記録時には書き込み光として第２のパワーで且つ変調させながら照射する。【０１０５】
信号記録再生部２１３は、本発明における「記録手段」、「第１読込手段」の一具体例であって、スピンドルモータ２１１と光ピックアップ２１２を制御することで光ディスク１００に対して記録を行う。また、光ディスク１００に記録されたデータの読み込みを行う。【０１０６】
ＣＰＵ２１４は、信号記録再生部２１３及びメモリ２１５と、バス２１７を介して接続され、各種制御手段に指示を行うことで、ドライブモジュール２１全体の制御を行う。通常、ＣＰＵ２１４が動作するためのソフトウェア又はファームウェアは、メモリ２１５に格納されている。【０１０７】
ホストコンピュータ２２は、ＣＰＵ２２１、メモリ２２２、データ入出力部２２３、及びバス２２４を備えて構成されている。ここに、本構成例に係る「ＣＰＵ２２１」は、本発明における「第２読込手段」、「分割手段」、及び「制御手段」の一具体例であって、メモリ２２２、及びデータ入出力部２２３と、バス２２４を介して接続され、各構成要素に指示を行うことで、本構成例に係る記録装置全体の制御を行う。通常、ＣＰＵ２２１が動作するためのソフトウェアは、メモリ２２２に格納されている。【０１０８】
メモリ２２２は、記録再生データのバッファ領域や、ドライブモジュール２１で使用できるデータに変換する時の中間バッファとして使用される領域など本構成例に係る記録装置におけるデータ処理全般において使用される。また、メモリ２２２はこれらレコーダ機器としての動作を行うためのプログラムが格納されるＲＯＭ領域と、プログラム動作に必要な変数が格納されるＲＡＭ領域などから構成される。【０１０９】
（第１動作例）
次に、図４及び図５を参照して、第１動作例に係る記録装置による、２層型の光ディスク１００にデータを記録する記録処理の態様について説明する。ここに、図４は、第１動作例全体の流れを概念的に示すフローチャートである。【０１１０】
図４に示すように、動作例では大きく分けて、データを分割するまでの所謂分割処理と、記録処理との２つの工程から構成されている。ここに、分割処理とは、記録されるデータを、２層型の例えばＤＶＤ−Ｒに記録するにあたり、コンテンツデータをＬ０層１１０とＬ１層１２０に適切に分割する処理を指す。このために、本発明における「分割点」の一具体例であるレイヤージャンプ点（以下、適宜ＬＪ点と記載する）を適切に決定することにより、光ディスク１００のＬ０層１１０とＬ１層１２０にコンテンツデータを記録することが可能となる。【０１１１】
また、記録処理においては、前述したＬＪ点で分割された各データ（ここでは、第１データ及び第２データに分割されるものとする）を、それぞれの記録層に含まれるデータエリアに記録する動作が行われる。より具体的には、第１記録層に含まれる第１データエリア１１２に第１データを、第２記録層に含まれる第２データエリア１２２に第２データを、夫々記録し、また光ディスク１００のファイナライズのためのデータの記録なども行われる。【０１１２】
図４に示すように、先ず光ディスク１００がドライブモジュール２１にローディングされ、ディスクチェックが行われる（ステップＳ１０１）。ここでは、ＣＰＵ２１４の制御の下、信号記録再生部２１３の動作によって、例えばデータの記録に必要な各種制御情報が取得されたり、或いはＯＰＣ処理などが行なわれる。或いは、ローディングされた光ディスク１００が２層型の光ディスクであるか否かの判定が行われても良い。更に、ここにおいて、光ディスク１００の各記録層における容量情報、より具体的には第１記録層の中でユーザデータが記録される第１データエリア１１２の記録容量Ｄ０、及び第２データエリア１２２の記録容量Ｄ１が検出される。該検出された容量情報はメモリ２２２において、少なくとも記録処理の終了まで保持される。【０１１３】
続いて、記録されるデータのチェックが行なわれる（ステップＳ１０２）。ここでは、コンテンツデータに対して、例えば、該コンテンツデータに含まれる該コンテンツデータの管理情報であるＩＦＯファイル（Ｉｎｆｏｒｍａｔｉｏｎ  Ｆｉｌｅ）などが読み込まれる。更に、コンテンツデータのサイズや、ファイルシステムエリア１１６のサイズなどの情報などが読み込まれてもよい。該読み込まれた情報はメモリ２２２において、少なくとも記録処理の終了まで保持される。【０１１４】
また、ここで、コンテンツデータにＬＪ候補点の位置が付加されているか否かの判定が行われる（ステップＳ１０３）。ここで、ＬＪ候補点とは、データを分割する際のＬＪ点を決定するための候補となる位置であり、データにおけるＣｅｌｌ境界であり、ＥＣＣ境界であり、且つデータの連続的な再生が保証されているか否かを示すＳｅａｍｌｅｓｓ  Ｐｌａｙｂａｃｋ  Ｆｌａｇにおいて、保証のされていない位置であることが条件である。このとき、後述する処理を行うことにより、ＥＣＣ境界でなくても、分割点候補位置に加えることもできる。少なくとも一つのＬＪ候補点を示す位置情報が付加されている場合（ステップＳ１０３：Ｙｅｓ）、該ＬＪ候補点の位置を検出し、ＬＪ候補点の位置を取得する（ステップＳ１０４）。【０１１５】
データにＬＪ候補点の位置を示す付加情報がない場合（ステップＳ１０３：Ｎｏ）、ＣＰＵ２２１の制御の下、コンテンツデータのＶＭＧＩ（Ｖｉｄｅｏ  Ｍａｎａｇｅｒ  Ｉｎｆｏｒｍａｔｉｏｎ）、及びＶＴＳＩ（Ｖｉｄｅｏ  Ｔｉｔｌｅ  Ｓｅｔ  Ｉｎｆｏｒｍａｔｉｏｎ）を抜き出して解析し、少なくとも一つの前述したＬＪ候補点の条件を満たす位置情報を取得し、ＬＪ候補点の位置を検出する（ステップＳ１０５）。
次に、一つあるいは複数のＬＪ候補点の中から、一つのＬＪ候補点を選択する（ステップＳ１０６）。【０１１６】
次に、選択された一つのＬＪ候補点において、データをＬ０層１１０に記録される第１データとＬ１層１２０に記録される第２データとに分割した場合の、第１データのサイズＣ０及び第２データのサイズＣ１を取得する（ステップＳ１０７）。ここで、第１データのサイズＣ０は、ＶＭＧ（Ｖｉｄｅｏ  Ｍａｎａｇｅｒ）の先頭から、取得された一つのＬＪ候補点までのサイズに、ファイルシステムなどのデータのサイズを合計したものである。また、第２データのサイズＣ１は、該データの取得された一つのＬＪ候補点から、コンテンツデータの終わりまでのサイズである。【０１１７】
続いて、各データエリアが、夫々に記録されるデータを記録するに足るだけの記録容量を有しているか否かの判定が行われる（ステップＳ１０８、ステップＳ１０９）。より具体的には、第１データエリア１１２の記録容量Ｄ０が第１データのサイズＣ０に比して等しい、或いは大きいか否かの判定が行われ（ステップＳ１０８）、続けて或いは同時に、第２データエリア１２２の記録容量Ｄ１が第２データのサイズＣ１に比して等しい、或いは大きいか否かの判定が行われる（ステップＳ１０９）。【０１１８】
判定の結果、いずれのデータエリアの記録容量も、記録されるデータサイズに比して等しいか、上回る場合（ステップＳ１０８：Ｙｅｓであり、ステップＳ１０９：Ｙｅｓ）、
Ｌ０層１１０の第１データエリア１１２と、Ｌ１層１２０の第２データエリア１２２との記録容量との差（すなわち、Ｄ０−Ｄ１）が、第１データのサイズＣ０と、第２データのサイズＣ１との差（すなわち、Ｃ０−Ｃ１）に比して等しい、或いは下回っているか否かの判定が行われる（ステップＳ１１０）。ここに、Ｄ０−Ｄ１の値は、データエリアの端部でもレコーディングオーダを遵守できるようにレイアウトされた、Ｌ０層１１０の第１データエリア１１２とＬ１層１２０の第２データエリア１２２の容量の差を示している。典型的には、データエリア外周端部での前述したトレランス長とクリアランス長の和に相当するデータサイズと、データエリア内周端部での前述したトレランス長とクリアランス長の和に相当するデータサイズの和が、Ｄ０−Ｄ１の値である。【０１１９】
判定の結果、Ｃ０−Ｃ１がＤ０−Ｄ１に比して等しい或いは上回る場合には（ステップＳ１１０：Ｙｅｓ）、先に選択されたＬＪ候補点をＬＪ点として決定し、該ＬＪ点である位置において、データを分割する（ステップＳ１１１）。【０１２０】
続いて、記録処理においては、各記録層へデータの記録が行なわれる（ステップＳ１１２）。本動作例では、原則として、初めにＬ０層１１０の第１データエリア１１２に、第１データが書き込まれる。第１データの最終アドレス（すなわちＬＪ点）が記録されたところで、第１データエリア１１２への記録を終了し、記録する層をＬ０層１１０からＬ１層１２０へと変更する。より具体的には、信号記録再生部２１３によって、光ピックアップ２１２がレーザ光ＬＢの態様を変更させ、光ディスク１００のＬ１層１２０で焦点を結ぶように制御される。そして、第２データエリア１２２において、Ｌ０層１１０のＬＪ点に相当する位置より前述したトレランス長とクリアランス長の和に相当する幅だけ内周側の位置を開始アドレスとして、第２データが書き込まれる。【０１２１】
図５は、データが記録される光ディスク１００の径方向におけるエリア構造のレイアウトである。図５（ａ）では、第１データエリア１１２の記録容量Ｄ０と第１データのサイズＣ０が等しくなるようデータが分割され、記録されている。他方、第１データのサイズＣ０及び第２データのサイズＣ１が、記録容量Ｄ０及びＤ１よりも少ない場合には、図５（ｂ）に示すように、各データエリアの外周側に未記録部分を残しておかず、ミドルエリアデータで最外周まで埋められる。【０１２２】
また、後に述べるように、ダミーデータのサイズであるＥの値が算出されている場合、典型的には第１データエリア１１２のダミーデータエリア１１７にダミーデータが書き込まれる。ここに、ダミーデータとは、サイズＥを有する、例えば“００ｈ”データ等のことであり、第１データエリア１１２のファイルシステムエリア１１６の記録終了位置から書き込まれる。このとき、前述した分割処理でＬＪ点として設定された分割点がＥＣＣ境界で無かった場合、Ｌ０層１１０のデータの終わりがＥＣＣ境界になるように考慮してダミーデータのサイズを調整する。具体的にはセクター単位のダミーデータが加えられることになる。また、後に述べる分割処理で算出されたサイズＥがゼロであった場合でも、ＬＪ点がＥＣＣ境界で無かった場合は、Ｌ０層１１０のデータの終わりがＥＣＣ境界になるようにセクター単位のダミーデータが書き込まれることになる。【０１２３】
このダミーデータは、第１データエリア１１２の最内周に書き込まれるファイルシステムエリア１１６などと、相前後して、この時同時に書き込まれても構わない。【０１２４】
そして、第１データエリア１１２及び第２データエリア１２２へのデータの記録が終了した後には、リードインエリア１１１及びリードアウトエリア１２１、並びにミドルエリア１１３及び１２３に、データの記録或いは再生を制御するための各種制御情報等やダミーデータ（例えば、“００ｈ”データ等）等が記録される。この場合も、レコーディングオーダを遵守するため、Ｌ０層１１０のリードインエリア１１１に制御情報等を記録した後に、制御情報等が記録されたＬ０層１１０の領域に対応するＬ１層１２０のリードアウトエリア１２１に制御情報等を記録することが好ましい。また、Ｌ０層１１０のミドルエリア１１３に制御情報等を記録した後に、制御情報等が記録されたＬ０層１１０の領域に対応するＬ１層１２０のミドルエリア１２３に制御情報等を記録することが好ましい。これらデータが記録された後に、記録動作を終了する。なお、記録順序は、リードインエリア１１１→Ｌ０データエリア１１２→Ｌ０ミドルエリア１１３→Ｌ１ミドルエリア１２３→Ｌ１データエリア１２２→リードアウトエリア１２１でも良いし、また、リードインエリア１１１→Ｌ０データエリア１１２→Ｌ１データエリア１２２→リードアウトエリア１２１→Ｌ０ミドルエリア１１３→Ｌ１ミドルエリア１２３という順序でも良い。【０１２５】
再び図４において、他方、Ｃ０−Ｃ１がＤ０−Ｄ１を下回る場合には（ステップＳ１１０：Ｎｏ）、ダミーデータエリア１１７のサイズＥが算出される（ステップＳ１１３）。典型的には、第１データエリア１１２の記録容量Ｄ０と第２データエリア１２２の記録容量Ｄ１との差から、第１データのサイズＣ０とファイルシステムエリア１１６のサイズとの和と第２データのサイズＣ１との差を引いた値が、最低限記録されるべきダミーデータエリア１１７のサイズＥである（つまり、Ｅ＝（Ｄ０−Ｄ１）−（Ｃ０−Ｃ１））。ここに、ダミーデータエリア１１７のサイズＥを、第１データのサイズＣ０に加えた値を新しいＣ０として（ステップＳ１１４）、再びデータエリアの記録容量と、記録されるデータのサイズとの比較（ステップＳ１０８、ステップＳ１０９）が行われる。【０１２６】
また、光ディスク１００のいずれか一方のデータエリアの記録容量が、記録されるデータサイズを下回る場合（ステップＳ１０８：Ｎｏ、またはステップＳ１０９：Ｎｏ）、選択されたＬＪ候補点ではデータの分割が行えない。ここで、該選択されたＬＪ候補点が、検出された最後のＬＪ候補点であるか否か、すなわち、未選択のＬＪ候補点となる位置情報が検出されるか否かの判定が行われる（ステップＳ１１５）。【０１２７】
判定の結果、未選択のＬＪ候補点が検出される場合（ステップＳ１１５：Ｎｏ）、次のＬＪ候補点の位置を取得し（ステップＳ１１７）、該ＬＪ候補点でデータを分割する際のデータサイズの算出から処理が行われる（ステップＳ１０７）。【０１２８】
他方、ＬＪ候補点が他に検出されない場合、或いは既に全ての検出されたＬＪ候補点を判定し終えていた場合（ステップＳ１１５：Ｙｅｓ）、このデータは光ディスク１００に記録不可であると判定され（ステップＳ１１６）、記録処理を終了する。【０１２９】
この動作によって、例えばビデオデータであるデータに対して、分割点の位置を検出することが出来る。また、検出された分割点で分割した場合に、記録媒体の各データエリアに記録可能なサイズであるか否かの判定を行うことで、適切なデータの分割が行える。結果、２層型ＤＶＤ−ＲＯＭ用のコンテンツデータを、２層型ＤＶＤ−Ｒに好適に記録することができる。つまり、様々なデータに対応して、効率的なデータの記録が出来る。【０１３０】
尚、再生時に層が切り替わる時、つまり再生時にレイヤージャンプが行われる時、再生映像が一瞬途切れる場合がある。よって、コンテンツを視聴するユーザにとってできるだけ違和感の無い箇所で層が切り替わるのが望ましい。このため、ＬＪ候補点を示す位置情報を付加することにより、映像を見るユーザにとって違和感の無い位置でのレイヤージャンプを記録装置側に知らせることができる。したがって、画像認識などのより複雑な手法を用いることなく、違和感の無い場所でのレイヤージャンプ位置の設定が可能となる。【０１３１】
尚、ステップＳ１０３においてコンテンツに付加されたＬＪ候補点を示す位置情報に基づいて、該ＬＪ候補点が分割点となり得るか否かの判定を行った結果、ＬＪ点として設定できるＬＪ候補点が無かった場合、ステップＳ１０５のように、コンテンツデータのＶＭＧＩ、及びＶＴＳＩを抜き出して解析し、少なくとも一つのＬＪ候補点の条件を満たす位置情報を取得し、ＬＪ候補点の位置を検出するようにしても良い。【０１３２】
また、ステップＳ１１１においてＬＪ候補点をＬＪ点として決定するにあたり、ユーザの判断を加味するように構成されていても良い。より詳細には、選択された１つのＬＪ候補点が、ＬＪ点となり得る条件を満たしている場合（ステップＳ１０８：Ｙｅｓであり、ステップＳ１０９：Ｙｅｓであり、且つステップＳ１１０：Ｙｅｓ）、該ＬＪ候補点を示す位置情報が、例えば、メモリ２２２に保存される。次に、ステップＳ１１５に示されるように、該選択されたＬＪ候補点が検出された最後のＬＪ候補点であるか否かの判定を行い、他に未選択のＬＪ候補点が検出されていた場合、次のＬＪ候補点が選択され、前述の如く判定が行われる。判定の結果、ＬＪ点となり得るＬＪ候補点を示す位置情報は同様にメモリ２２２に保存される。このように、少なくとも２つ以上のＬＪ点となり得るＬＪ候補点が保存されている場合、ホストコンピュータ２２において図示されない表示部などを通じて、ユーザに各ＬＪ候補点を示す位置情報が伝えられる。そして、同じく図示されない入力装置を介してユーザがＬＪ点とするＬＪ候補点を決定する情報を入力することで、該ＬＪ候補点をＬＪ点として決定し、該ＬＪ点である位置において、データを分割する。【０１３３】
このように構成することによって、ユーザの判断を加味してＬＪ点を決定することが出来る。【０１３４】
（第２動作例）
本発明における記録装置の第２動作例を、図面を参照して説明する。尚、図中の同一構成要素には同一の符号を付与するものとする。【０１３５】
第２動作例においては、２層型且つ再生専用型の媒体に比して記録容量が小さく構成されている２層型且つ追記型の記録媒体のＬ１層１２０の記録エリア（つまり、第２データエリア１２２）を、その記録容量Ｄ１が２層型且つ再生専用型の媒体のＬ１層の記録エリアの記録容量と略同一となるように拡張させてコンテンツデータの記録が行われる。より詳細には、図７（ａ）に示すように、Ｌ１層１２０の第２データエリア１２２の最終アドレス（つまり、最内周の端部）を、内周側に隣接するリードアウトエリア１２１側へシフトさせることによって、第２データエリア１２２の記録容量Ｄ１を増加させる。【０１３６】
更に、この態様においては、レコーディングオーダを守るために、第２データエリア１２２のシフト後の最終アドレスから、クリアランス長とトレランス長との和に相当する長さを考慮したＬ０層１１０（典型的には、リードインエリア１１１）の所定の領域（つまり、プリ記録エリア１１５）に、プリデータを記録する。【０１３７】
他方、データエリアの外周側では、Ｌ０層１１０の第１データエリア１１２における第１データの最終記録位置と、Ｌ１層１２０の第２データの記録開始アドレスに対応するＬ０層１１０上の位置との間に、前述のクリアランス長とトレランス長との和に相当する半径方向の長さを有する記録済みの領域が形成されていることで、レコーディングオーダが守られる。【０１３８】
このとき、第１データのサイズとファイルシステムエリア１１６のサイズとの和Ｃ０と第２データのサイズＣ１の差は、第１データエリア１１２の容量と第２データエリア１２２の容量の差よりも、少なくても大きくなければならない。そこで、第１データのサイズとファイルシステムエリア１１６のサイズとの和Ｃ０と第２データのサイズＣ１の差が、第１データエリア１１２の容量と第２データエリア１２２の容量の差よりも大きいか否かを判別する。その結果、小さいと判定された場合には、前述した条件を満たすよう算出されたサイズを有するダミーデータエリア１１７にダミーデータが記録される。大きいあるいは等しいと判定された場合は、ダミーデータの記録は行われない。【０１３９】
続いて、図６乃至図７を用いて、記録処理に係る第２動作例の態様について説明する。ここに、図６は、第２動作例の流れを概念的に示すフローチャートである。【０１４０】
図６に示すように、先ず光ディスク１００がドライブモジュール２１にローディングされ、図４に示される第１動作例における処理と同様のディスクチェックが行われる（ステップＳ１０１）。【０１４１】
続いて、図４に示される第１動作例における処理と同様の、記録されるデータのチェックが行われる（ステップＳ１０２）。
続いて、図４に示される第１動作例における分割処理と同様の、ＬＪ点の決定処理が行われる（ステップＳ２０１）。このとき、第２データエリアの容量を示すＤ１は、４．２７Ｇｂｙｔｅｓに設定して判定処理を行う。更に、コンテンツデータのサイズ、ＬＪ点で分割した際の夫々の分割データのサイズ、及びファイルシステムエリア１１６のサイズなどの情報などが読み込まれる。該読み込まれた情報はメモリ２２２において、少なくとも記録処理の終了まで保持される。【０１４２】
そして、決定されたＬＪ点においてコンテンツデータの分割が行われる（ステップＳ２０２）
次に、コンテンツデータを記録するための光ディスク１００上のデータエリア構造を変形するための演算が行われる（ステップＳ２０３）。具体的には、先のデータチェックで読み込まれたＬ１記録層の記録容量が所定の容量に達するよう、第２データエリア１２２の最終アドレスを内周側に隣接するリードアウトエリア１２１内にシフトさせることで、該記録容量を増加させるための、シフト量、或いはシフト後の該最終アドレスなどが演算される。ここに、所定の容量とは、例えば、２層型且つ再生専用型の媒体のＬ１層の記録容量（典型的には、４．２７Ｇ  Ｂｙｔｅｓ）であり、そのように容量を増加させた場合、シフト後の第２データエリア１２２の最終アドレスは、ディスク内周より２４．０ｍｍの位置に指定される。【０１４３】
次に、シフトされた第２データエリア１２２の最終アドレスに基づいて、レコーディングオーダ順守のため、予めリードインエリア１１１に記録されるプリデータのサイズ、及び該プリデータの記録される領域（つまり、プリ記録エリア１１５）を算出する（ステップＳ２０４）。ここで、プリ記録エリア１１５とは、第２データエリア１２２のシフト後の最終アドレスから、そのクリアランス長とトレランス長との和に相当する半径方向の長さを有するＬ０層１１０上の領域のうち、典型的にはリードインエリア１１１上に形成される領域である。プリデータのサイズは、該プリ記録エリア１１５の領域に基づいて、予めメモリ２１５に格納してある表やグラフ或いは数式により算出される、典型的にはリードインデータにより構成されるデータである。【０１４４】
続いて、Ｌ０層１１０上の第１データエリア１１２上において、第１データのダミーデータが記録される領域であるダミーデータエリア１１７のサイズＥが算出される（ステップＳ２０５）。【０１４５】
典型的には、第１データエリア１１２の記録容量Ｄ０と拡張された第２データエリア１２２の記録容量Ｄ１の差から、第１データのサイズＣ０とファイルシステムエリア１１６のサイズとの和と第２データのサイズＣ１の差を引いた値が、最低限記録されるべきダミーデータエリア１１７のサイズＥである（つまり、Ｅ＝（Ｄ０−Ｄ１）−（Ｃ０−Ｃ１））。【０１４６】
ここで、ダミーデータエリア１１７は、ファイルシステムエリア１１６の終了位置から、前述のサイズＥを有するエリアであり、例えば、“００ｈ”などのデータが書き込まれる。ダミーデータエリア１１７の記録終了アドレスから、第１データが書き込まれることになる。【０１４７】
続いて、各記録層へデータの記録が行なわれる。先ず、算出されたプリデータがＬ０層１１０上の所定のプリ記録エリア１１５に書き込まれる（ステップＳ２０６）。【０１４８】
その後、その他の各エリアへのコンテンツデータや関連データの書き込みが行われる。（ステップＳ２０７）。本動作例では、原則として、初めにＬ０層１１０の第１データエリア１１２に、第１データが書き込まれる。この時、第１データエリア１１２の開始アドレスから、ファイルシステムなどのデータが書き込まれるファイルシステムエリア１１６、及び該ファイルシステムエリア１１６の終了アドレスから、前述の如く算出されたダミーデータが書き込まれるダミーデータエリア１１７が形成され、更に該ダミーデータエリア１１７の終了アドレスからの領域に第１データが、互いに相前後して書き込まれる。第１データの最終アドレス（すなわちＬＪ点）が記録されたところで、第１データエリア１１２への記録を終了し、記録する層をＬ０層１１０からＬ１層１２０へと変更する。より具体的には、信号記録再生部２１３によって、光ピックアップ２１２がレーザ光ＬＢの態様を変更させ、光ディスク１００のＬ１層１２０で焦点を結ぶように制御される。そして、第２データエリア１２２の最終アドレスに第２データが記録完了するように算出された記録開始アドレスから、第２データが書き込まれる。第２データのサイズＣ１が、第２データエリアの記録容量Ｄ１よりも少ない場合には、図７（ｂ）に示すように、各データエリアの外周側に未記録エリアを残しておかず、ミドルエリア属性のデータで最外周まで埋められる。【０１４９】
そして、第１データエリア１１２及び第２データエリア１２２へのデータの記録が終了した後には、リードインエリア１１１及びリードアウトエリア１２１、並びにミドルエリア１１３及び１２３に、データの記録或いは再生を制御するための各種制御情報等やダミーデータ（例えば、“００ｈ”データ等）等が記録される。この場合も、レコーディングオーダを遵守するために、Ｌ０層１１０のリードインエリア１１１に制御情報等を記録した後に、制御情報等が記録されたＬ０層１１０の領域に対応するＬ１層１２０のリードアウトエリア１２１に制御情報等を記録することが好ましい。また、Ｌ０層１１０のミドルエリア１１３に制御情報等を記録した後に、制御情報等が記録されたＬ０層１１０の領域に対応するＬ１層１２０のミドルエリア１２３に制御情報等を記録することが好ましい。これらデータが記録された後に、記録動作を終了する。なお、記録順序は、リードインエリア１１１→Ｌ０データエリア１１２→Ｌ０ミドルエリア１１３→Ｌ１ミドルエリア１２３→Ｌ１データエリア１２２→リードアウトエリア１２１でも良いし、また、リードインエリア１１１→Ｌ０データエリア１１２→Ｌ１データエリア１２２→リードアウトエリア１２１→Ｌ０ミドルエリア１１３→Ｌ１ミドルエリア１２３という順序でも良い。【０１５０】
次に、第２動作例における光ディスク１００のエリア構造について具体的に説明する。図７は、第２動作例においてコンテンツデータが記録された光ディスク１００の径方向におけるエリア構造の図式的概念図である。【０１５１】
図７（ａ）及び（ｂ）における光ディスク１００では、第２データエリア１２２の最内周が、内周側に隣接するリードアウトエリア１２１にシフトするように設定されている。このとき、レコーディングオーダを守るために、リードインエリア１１１の所定の領域にリードインデータをプリ記録するプリ記録エリア１１５が設定される。ここで、設定されるプリ記録エリア１１５の領域については、第２データエリア１２２のシフト後の最終アドレスより、例えば、クリアランス長とトレランス長との和に相当する半径方向の長さを有する領域が設定される。また、第１データエリア１１２の内周側にはファイルシステムエリア１１６が記録され、該ファイルシステムの最終アドレスからの所定の領域にダミーデータが記録されるダミーデータエリア１１７が設定される。ダミーデータエリア１１７の領域は、第１データエリア１１２の記録容量Ｄ０と拡張された第２データエリア１２２の記録容量Ｄ１の差から、第１データエリア１１２に記録される第１データのサイズとファイルシステムのサイズとの和Ｃ０と、第２データエリア１２２に記録される第２データのサイズＣ１の差を引いた値に決定されるものである。つまり、ダミーデータＥの領域は、Ｅ＝（Ｄ０−Ｄ１）−（Ｃ０−Ｃ１）という式により算出され、ダミーデータエリア１１７に記録される。【０１５２】
図７（ａ）は、第２データエリア１２２の記録容量Ｄ１と第２データのサイズＣ１が等しい場合のコンテンツデータを記録した光ディスク１００のエリア構造を示す図である。他方、第１データのサイズＣ０及び第２データのサイズＣ１が、記録容量Ｄ０及びＤ１よりも少ない場合には、図７（ｂ）に示すように、シフト後の第２データエリア１２２の最終アドレスに第２データが記録完了するように、第２データの記録開始位置、及び第１データの最終記録アドレス、並びにダミーデータエリア１１７の領域が算出され、記録される。このとき、各データエリアの外周側に未記録部分を残しておかず、ミドルエリア属性のデータで最外周まで埋められる。【０１５３】
このような構成により、２層型且つ再生専用型の媒体に記録されている状態と概ね同一の状態であるコンテンツデータを、２層型且つ追記型の記録媒体に記録することが出来る。【０１５４】
（第３動作例）
本発明における記録装置の第３動作例を、図面を参照して説明する。尚、図中の同一構成要素には同一の符号を付与するものとする。【０１５５】
第３動作例においては、２層型且つ再生専用型の媒体に比して記録容量が小さく構成されている２層型且つ追記型の記録媒体のＬ１層１２０の記録エリア（つまり、第２データエリア１２２）を、その記録容量が２層型且つ再生専用型の媒体のＬ１層の記録容量と略同一となるように拡張させてコンテンツデータの記録が行われる。より詳細には、図９に示すように、Ｌ１層１２０の第２データエリア１２２の開始アドレス（つまり、最外周の端部）を、外周側に隣接するミドルエリア１２３側へシフトさせることによって、第２データエリア１２２の記録容量Ｄ１を増加させる。【０１５６】
更に、この態様においては、レコーディングオーダを守るために、Ｌ０層１１０の第１データエリア１１２の最終アドレス（つまり、最外周の端部）を、前述の第２データエリア１２２の開始アドレスのシフト量と同じ長さだけ外周側に隣接するミドルエリア１１３内へシフトさせる。これによって、第２データエリア１２２のシフト後の開始アドレスから、クリアランス長とトレランス長との和に相当する長さを考慮したＬ０層１１０の所定の領域にもコンテンツデータの記録が可能となる。【０１５７】
このとき、第１データのサイズとファイルシステムエリア１１６のサイズとの和Ｃ０と第２データのサイズＣ１の差は、第１データエリア１１２の容量と第２データエリア１２２の容量の差よりも、少なくても大きくなければならない。そこで、第１データのサイズとファイルシステムエリア１１６のサイズとの和Ｃ０と第２データのサイズＣ１の差が、第１データエリア１１２の容量と第２データエリア１２２の容量の差よりも大きいか否かを判別する。その結果、小さいと判定された場合には、前述した条件を満たすよう算出されたサイズを有するダミーデータエリア１１７にダミーデータが記録される。大きいあるいは等しいと判定された場合は、ダミーデータの記録は行われない。【０１５８】
続いて、図８乃至図９を用いて、記録処理に係る第３動作例の態様について説明する。ここに、図８は、第３動作例の流れを概念的に示すフローチャートである。【０１５９】
図８に示すように、先ず光ディスク１００がドライブモジュール２１にローディングされ、図４に示される第１動作例における処理と同様のディスクチェックが行われる（ステップＳ１０１）。【０１６０】
続いて、図４に示される第１動作例における処理と同様の、記録されるデータのチェックが行われる（ステップＳ１０２）。
続いて、図４に示される第１動作例における分割処理と同様の、ＬＪ点の決定処理が行われる（ステップＳ２０１）。このとき、第２データエリアの容量を示すＤ１は、４．２７Ｇｂｙｔｅｓに設定し、第１データエリアの容量を示すＤ０は、第２データエリアの記録容量が増えたサイズ分だけ元のＤ０に加算して新規のＤ０とし、判定処理を行う。  
そして、決定されたＬＪ点においてコンテンツデータの分割（ステップＳ２０２）が行われる。【０１６１】
次に、コンテンツデータを記録するための光ディスク１００上のデータエリア構造を変形するための演算が行われる（ステップＳ３０１）。具体的には、先のデータチェックで読み込まれたＬ１記録層の記録容量が所定の容量に達するよう、第２データエリア１２２の開始アドレスを外周側に隣接するミドルエリア１２３内にシフトさせることで、該記録容量を増加させるための、シフト量、或いはシフト後の該最終アドレスなどが演算される。同時に、Ｌ０記録層の第１データエリア１１２の最終アドレスを、第２データエリア１２２のシフト量と同じだけ外周側に隣接するミドルエリア１１３内にシフトさせる。ここに、所定の容量とは、例えば、２層型且つ再生専用型の媒体のＬ１層の記録容量（典型的には、４．２７Ｇ  Ｂｙｔｅｓ）である。【０１６２】
次に、Ｌ０層１１０上の第１データエリア１１２上において、第１データのダミーデータが記録される領域であるダミーデータエリア１１７のサイズＥが算出される（ステップＳ３０２）。【０１６３】
典型的には、拡張された第１データエリア１１２の記録容量Ｄ０と同様に拡張された第２データエリア１２２の記録容量Ｄ１の差から、第１データのサイズＣ０とファイルシステムエリア１１６のサイズとの和と第２データのサイズＣ１の差を引いた値が、最低限記録されるべきダミーデータエリア１１７のサイズＥである（つまり、Ｅ＝（Ｄ０−Ｄ１）−（Ｃ０−Ｃ１））。【０１６４】
ここで、ダミーデータエリア１１７は、ファイルシステムエリア１１６の終了位置から、前述のサイズＥを有するエリアであり、例えば、“００ｈ”などのデータが書き込まれる。ダミーデータエリア１１７の記録終了アドレスから、第１データが書き込まれることになる。【０１６５】
続いて、各記録層へデータの記録が行なわれる（ステップＳ３０３）。本動作例では、原則として、初めにＬ０層１１０の第１データエリア１１２に、第１データが書き込まれる。この時、第１データエリア１１２の開始アドレスから、ファイルシステムなどのデータが書き込まれるファイルシステムエリア１１６、該ファイルシステムエリア１１６の終了アドレスから、前述の如く算出されたダミーデータが書き込まれるダミーデータエリア１１７が形成され、該ダミーデータエリア１１７の終了アドレスから、第１データエリア１１２のシフト後の最終アドレスまでの領域に第１データが、互いに相前後して書き込まれる。第１データの最終アドレス（すなわちＬＪ点）が記録されたところで、第１データエリア１１２への記録を終了し、記録する層をＬ０層１１０からＬ１層１２０へと変更する。より具体的には、信号記録再生部２１３によって、光ピックアップ２１２がレーザ光ＬＢの態様を変更させ、光ディスク１００のＬ１層１２０で焦点を結ぶように制御される。そして、第２データエリア１２２の前述の如くシフトされた開始アドレス（典型的には、Ｌ０層１１０のＬＪ点に相当する位置より前述したトレランス長とクリアランス長の和に相当する幅だけ内周側の位置）から、第２データが書き込まれる。【０１６６】
そして、第１データエリア１１２及び第２データエリア１２２へのデータの記録が終了した後には、リードインエリア１１１及びリードアウトエリア１２１、並びにミドルエリア１１３及び１２３に、データの記録或いは再生を制御するための各種制御情報等やダミーデータ（例えば、“００ｈ”データ等）等が記録される。この場合も、レコーディングオーダを遵守するために、Ｌ０層１１０のリードインエリア１１１に制御情報等を記録した後に、制御情報等が記録されたＬ０層１１０の領域に対応するＬ１層１２０のリードアウトエリア１２１に制御情報等を記録することが好ましい。また、Ｌ０層１１０のミドルエリア１１３に制御情報等を記録した後に、制御情報等が記録されたＬ０層１１０の領域に対応するＬ１層１２０のミドルエリア１２３に制御情報等を記録することが好ましい。これらデータが記録された後に、記録動作を終了する。なお、記録順序は、リードインエリア１１１→Ｌ０データエリア１１２→Ｌ０ミドルエリア１１３→Ｌ１ミドルエリア１２３→Ｌ１データエリア１２２→リードアウトエリア１２１でも良いし、また、リードインエリア１１１→Ｌ０データエリア１１２→Ｌ１データエリア１２２→リードアウトエリア１２１→Ｌ０ミドルエリア１１３→Ｌ１ミドルエリア１２３という順序でも良い。【０１６７】
図９は、拡張後の第２データエリア１２２の記録容量Ｄ１と第２データのサイズＣ１が等しい場合のコンテンツデータを記録した光ディスク１００のエリア構造を示す図である。図９における光ディスク１００では、第１データエリア１１２、及び第２データエリア１２２の最外周の端部が、外周側に隣接するミドルエリア１１３／１２３にシフトするように記録されている。【０１６８】
ここで、シフトさせるアドレス量については、例えば、クリアランス長とトレランス長を考慮して狭められている２層型且つ追記型の記録媒体におけるＬ１層１２０の第２データエリア１２２の記録容量Ｄ１が、２層型且つ再生専用型の媒体におけるＬ１層１２０のデータ領域の容量となるように第２データエリア１２２を拡張させるアドレス量が挙げられる。これによって、２層型且つ追記型の記録媒体のＬ１層１２０のデータエリアの記録容量Ｄ１が２層型且つ再生専用型の媒体のＬ１層の記録容量と略同一となる。結果、コンテンツデータにおける、Ｌ１層１２０に記録される第２データのサイズＣ１が２層型且つ追記型の記録媒体のＬ１層１２０の本来の記録容量よりも大きいコンテンツであっても、記録することが可能となる。また、予め記録媒体にプリ記録を行わなくとも、レコーディングオーダに遵守した記録が可能となる。
【図１】
2009072180.tif 000003
【図２】
2009072180.tif 000004
【図３】
2009072180.tif 000005
【図４】
2009072180.tif 000006
【図５】
2009072180.tif 000007
【図６】
2009072180.tif 000008
【図７】
2009072180.tif 000009
【図８】
2009072180.tif 000010
【図９】
2009072180.tif 000011
【図１０】
2009072180.tif 000012
【手続補正書】
【提出日】平成22年2月9日(2010.2.9)
【手続補正１】
【補正対象書類名】特許請求の範囲
【補正対象項目名】全文
【補正方法】変更
【補正の内容】
【特許請求の範囲】
【請求項１】
レーザ光を照射することでコンテンツデータが記録される第１データエリアを含む第１記録層と、前記第１記録層を介して前記レーザ光を照射することで前記コンテンツデータが記録される第２データエリアを含む第２記録層とを有する記録媒体に前記コンテンツデータを記録する記録装置であって、
前記レーザ光を照射することで前記第１データエリア及び前記第２データエリアに前記コンテンツデータを記録する記録手段と、
前記第１データエリア及び前記第２データエリア夫々の記録容量を示す容量情報を読み込む第１読込手段と、
前記コンテンツデータに含まれあるいは付加され、該コンテンツデータを分割するための情報である管理情報を読み込む第２読込手段と、
前記容量情報及び前記管理情報に基づいて、前記コンテンツデータを前記第１データエリアに記録される第１データ、及び前記第２データエリアに記録される第２データに分割する分割手段と、
前記第１データを前記第１データエリアに、前記第２データを前記第２データエリアに記録するよう前記記録手段を制御する制御手段と
を備えることを特徴とする記録装置。
【請求項２】
前記制御手段は、前記第２データエリアの記録容量が少なくとも所定の容量まで拡張されるように、前記第２データエリアの最大容量に相当する位置のアドレスを初期状態から更に内周側にシフトさせることを特徴とする請求項１に記載の記録装置。
【請求項３】
前記制御手段は、遅くとも前記第２データが記録される前に、前記第１データエリアの開始位置から内周側に隣接する少なくとも所定の領域にプリデータを記録するよう前記記録手段を制御することを特徴とする請求項２に記載の記録装置。
【請求項４】
前記制御手段は、(i)前記第２データエリアの記録容量が少なくとも所定の容量まで拡張されるように、前記第２データエリアの開始位置のアドレスを初期状態から更に外周側にシフトさせ、(ii)シフトされた前記第２データエリアの開始位置のアドレスに基づいて、前記第１データエリアの最大容量に相当する位置のアドレスを初期状態から更に外周側にシフトさせることを特徴とする請求項１に記載の記録装置。
【請求項５】
前記分割手段は、前記管理情報に基づいて、前記コンテンツデータにおける少なくとも１つの分割点候補の位置を検出し、(i)前記コンテンツデータの開始位置から前記分割点候補までのサイズと、前記コンテンツデータの再生を制御する情報であるファイルシステムのサイズとの和が前記第１データエリアの最大容量以下であり、(ii)前記コンテンツデータの前記分割点候補から終了位置までのサイズが前記第２データエリアの最大容量以下である前記分割点候補で前記コンテンツデータを分割することを特徴とする請求項１に記載の記録装置。
【請求項６】
前記分割手段は、前記分割点候補位置のうち、前記コンテンツデータを分割した場合の前記第１データ及び前記第２データが、前記容量情報に示される前記第１データエリア及び前記第２データエリア夫々の記録容量を超えないと判定された位置が複数検出された場合、該位置をユーザに開示し、ユーザの選択に基づく前記分割点候補位置で前記コンテンツデータを分割することを特徴とする請求項５に記載の記録装置。
【請求項７】
前記制御手段は、前記コンテンツデータの再生を制御する情報であるファイルシステムの記録終了位置から、所定サイズのダミーデータを記録するよう前記記録手段を制御することを特徴とする請求項１に記載の記録装置。
【請求項８】
前記制御手段は、前記第１データエリアの記録容量、前記第２データエリアの記録容量、並びに前記ファイルシステムのサイズを加えた前記第１データのサイズ、前記第２データのサイズに基づいて、前記ダミーデータのサイズを算出することを特徴とする請求項７に記載の記録装置。
【請求項９】
前記制御手段は、前記第２データエリアの記録容量が少なくとも所定の容量まで拡張されるように、前記第２データエリアの最大容量に相当する位置のアドレスを初期状態から更に内周側にシフトさせることを特徴とする請求項７に記載の記録装置。
【請求項１０】
前記制御手段は、遅くとも前記第２データが記録される前に、前記第１データエリアの開始位置から内周側に隣接する少なくとも所定の領域にプリデータを記録するよう前記記録手段を制御することを特徴とする請求項９に記載の記録装置。
【請求項１１】
前記制御手段は、前記第１データエリアの記録容量、拡張された前記第２データエリアの記録容量、並びに前記ファイルシステムのサイズを加えた前記第１データのサイズ、前記第２データのサイズに基づいて、前記ダミーデータのサイズを算出することを特徴とする請求項１０に記載の記録装置。
【請求項１２】
前記制御手段は、(i)前記第２データエリアの記録容量が少なくとも所定の容量まで拡張されるように、前記第２データエリアの開始位置のアドレスを初期状態から更に外周側にシフトさせ、(ii)前記シフトされた第２データエリアの開始位置のアドレスに基づいて、前記第１データエリアの最大容量に相当する位置のアドレスを初期状態から更に外周側にシフトさせることを特徴とする請求項７に記載の記録装置。
【請求項１３】
前記制御手段は、拡張された前記第１データエリアの記録容量、拡張された前記第２データエリアの記録容量、並びに前記ファイルシステムのサイズを加えた前記第１データのサイズ、前記第２データのサイズに基づいて、前記ダミーデータのサイズを算出することを特徴とする請求項１２に記載の記録装置。
【請求項１４】
前記所定の容量は、少なくとも２層型且つ再生専用型の媒体が備えるデータエリアのサイズ以上であることを特徴とする請求項２、４、９及び１２のうちいずれか一項に記載の記録装置。
【請求項１５】
前記所定の領域は、少なくとも、前記第１記録層の所定の位置に規定されるべきアドレスと前記第２記録層の前記所定位置に関連するアドレスとの間における相対的な位置ズレの許容範囲を示すトレランス長と、前記レーザ光の焦点が前記第２記録層に合わせられている場合の前記第１記録層上における前記レーザ光のスポット半径の許容最大値及び前記第１記録層と前記第２記録層との夫々の相対的な偏芯ズレの許容最大値の夫々の和を示すクリアランス長との和に相当する半径方向の長さを有する領域であることを特徴とする請求項３又は１０に記載の記録装置。
【請求項１６】
レーザ光を照射することでコンテンツデータが記録される第１データエリアを含む第１記録層と、前記第１記録層を介して前記レーザ光を照射することで前記コンテンツデータが記録される第２データエリアを含む第２記録層とを有する記録媒体に前記コンテンツデータを記録する記録装置に備えられたコンピュータを制御するコンピュータプログラムであって、
該コンピュータを、
前記レーザ光を照射することで前記第１データエリア及び前記第２データエリアに前記コンテンツデータを記録する記録手段と、
前記第１データエリア及び前記第２データエリア夫々の記録容量を示す容量情報を読み込む第１読込手段と、
前記コンテンツデータに含まれあるいは付加され、該コンテンツデータを分割するための情報である管理情報を読み込む第２読込手段と、
前記容量情報及び前記管理情報に基づいて、前記コンテンツデータを第１データエリアに記録される第１データ、及び第２データエリアに記録される第２データに分割する分割手段と、
前記第１データを第１データエリアに、前記第２データを第２データエリアに記録するよう前記記録手段を制御する制御手段
の少なくとも一部として機能させることを特徴とするコンピュータプログラム。
【請求項１７】
レーザ光を照射することでコンテンツデータが記録される第１データエリアを含む第１記録層と、前記第１記録層を介して前記レーザ光を照射することで前記コンテンツデータが記録される第２データエリアを含む第２記録層とを有する記録媒体に前記コンテンツデータを記録する記録方法であって、
前記レーザ光を照射することで前記第１データエリア及び前記第２データエリアに前記コンテンツデータを記録する記録工程と、
前記第１データエリア及び前記第２データエリア夫々の記録容量を示す容量情報を読み込む第１読込工程と、
前記コンテンツデータに含まれあるいは付加され、該コンテンツデータを分割するための情報である管理情報を読み込む第２読込工程と、
前記容量情報及び前記管理情報に基づいて、前記コンテンツデータを第１データエリアに記録される第１データ、及び第２データエリアに記録される第２データに分割する分割工程と、
前記第１データを第１データエリアに、前記第２データを第２データエリアに記録するよう前記記録工程を制御する制御工程と
を備えることを特徴とする記録方法。
【国際調査報告】
2009072180.tif 000013
2009072180.tif 000014
2009072180.tif 000015
2009072180.tif 000016